(57)【特許請求の範囲】
【請求項１】
単一無線音声通信継続性実現方法であって、
シグナリングによってアンカリングされるＩＰマルチメディアサブシステム制御点（ＩＣＰ）、及び媒体によってアンカリングされる、ＩＣＰによって制御されるアクセスゲートウェイ（ＡＧＷ）のＩＰマルチメディアサブシステムＩＭＳセッションを、ユーザー端末（ＵＥ−１）がパケット交換（ＰＳ）ネットワークを介してリモート側と確立した後で、
ＰＳネットワーク制御ネットワーク要素が強化型移動交換センター（ｅＭＳＣ）にハンドオーバーリクエストを送信して、前記ＩＭＳセッションを回線交換（ＣＳ）ネットワークアクセスモードにハンドオーバーするようにリクエストし、
前記ｅＭＳＣが前記ハンドオーバーリクエストを受信した後、ＵＥ−１に前記ｅＭＳＣとの通信のための媒体リンクリソースを用意し、且つＩＣＰに呼び出しリクエストを送信し、
ＩＣＰがＡＧＷを制御して前記呼び出しリクエストによって確立された媒体リンクと、前記ＩＭＳセッションのリモート側媒体リンクとを関連付けることを含む
単一無線音声通信継続性実現方法。
【請求項２】
ｅＭＳＣが送信する前記呼び出しリクエストはセッション開始プロトコル（ＳＩＰ）呼び出しリクエストメッセージであり、当該メッセージは前記ｅＭＳＣが新しく割り当てる新規媒体リンクにおいて媒体データを受信するための伝送アドレスＨを含み、
ＩＣＰが前記呼び出しリクエストによって確立された媒体リンクと、前記ＩＭＳセッションのリモート側媒体リンクとを関連付けるステップにおいて、前記ＩＣＰが、前記ＳＩＰ呼び出しリクエストメッセージを受信した後、前記伝送アドレスＨと前記リモート側媒体リンクの外部受信アドレスＦとを関連付け、且つ前記新規媒体リンクにおいて前記ｅＭＳＣが送信した媒体データを受信するための伝送アドレスＪをＳＩＰ応答コールを介して前記ｅＭＳＣに送信する
請求項１に記載の方法。
【請求項３】
ＩＣＰが、前記呼び出しリクエストによって確立された媒体リンクと、前記ＩＭＳセッションのリモート側媒体リンクとを関連付けるステップにおいて、
前記ＩＣＰは、前記ＳＩＰ呼び出しリクエストメッセージを受信した後、アクセスゲートウェイ（ＡＧＷ）に前記伝送アドレスＨを含むマップリクエストを送信し、
ＡＧＷは、前記伝送アドレスＨと前記リモート側媒体リンクとを関連付け、且つ前記伝送アドレスＪを割り当て、前記伝送アドレスＪをマップ応答を介してＩＣＰに送信する
請求項２に記載の方法。
【請求項４】
ｅＭＳＣが送信する前記呼び出しリクエストは、総合サービスデジタルネットワークユーザープロトコル（ＩＳＵＰ）の初期アドレスメッセージであり、当該メッセージは、新規媒体リンクにおいてｅＭＳＣ端においてＣＳ媒体を伝送するためのラインリソースのライン番号Ｌ１を含み、
ＩＣＰが前記呼び出しリクエストにより確立された媒体リンクと前記ＩＭＳセッションのリモート側媒体リンクとを関連付けるステップにおいて、前記ＩＣＰは、前記初期アドレスメッセージを受信した後、前記ｅＭＳＣにＩＳＵＰのＡＮＭメッセージを返し、当該メッセージは、前記新規媒体リンクにおいてｅＭＳＣ端とリモート側との間にＣＳ媒体を伝送するためのラインリソースのライン番号Ｌ２を含む
請求項１に記載の方法。
【請求項５】
ＩＣＰが前記呼び出しリクエストにより確立された媒体リンクと前記ＩＭＳセッションのリモート側媒体リンクとを関連付けるステップにおいて、
前記ＩＣＰは、前記初期アドレスメッセージを受信した後、ＡＧＷに前記ライン番号Ｌ１を含むマップリクエストを送信し、
前記マップリクエストを受信した後、ＡＧＷは、ライン番号Ｌ１と前記リモート側媒体リンクとを関連付け、且つ前記ライン番号Ｌ２を割り当て、前記ライン番号Ｌ２をマップ応答を介してＩＣＰに送信する
請求項４に記載の方法。
【請求項６】
単一無線音声通信継続性システムであって、
パケット交換（ＰＳ）ネットワーク制御ネットワーク要素、回線交換（ＣＳ）ネットワーク、強化型移動交換センター（ｅＭＳＣ）、ＩＰマルチメディアサブシステム制御点（ＩＣＰ）及びアクセスゲートウェイ（ＡＧＷ）を備え、
前記ＰＳネットワーク制御ネットワーク要素は、
ｅＭＳＣにハンドオーバーリクエストを送信して、ＩＰマルチメディアサブシステム（ＩＭＳ）セッションを前記ＣＳネットワークによるアクセスモードにハンドオーバーするようにリクエストし、前記ＩＭＳセッションは、シグナリングによってアンカリングされるＩＣＰ、及び媒体にアンカリングされる、ＩＣＰによって制御されるアクセスゲートウェイＡＧＷのセッションであって、ユーザー端末（ＵＥ−１）が前記ＰＳネットワークを介してリモート側と確立したセッションであり、
前記ｅＭＳＣは、
前記ハンドオーバーリクエストを受信した後、ＵＥ−１に前記ｅＭＳＣとの通信のための媒体リンクリソースを用意し、且つＩＣＰに呼び出しリクエストを送信し、
前記ＩＣＰは、
ＡＧＷを制御して前記呼び出しリクエストによって確立された媒体リンクと前記ＩＭＳセッションのリモート側媒体リンクとを関連付ける
単一無線音声通信継続性システム。
【請求項７】
前記ｅＭＳＣが送信する呼び出しリクエストは、セッション開始プロトコル（ＳＩＰ）呼び出しリクエストメッセージであり、当該メッセージは、前記ｅＭＳＣが新しく割り当てた新規媒体リンクにおいて媒体データを受信するための伝送アドレスＨを含み、
前記ＩＣＰは、さらに、前記ＳＩＰ呼び出しリクエストメッセージを受信した後、前記伝送アドレスＨと前記リモート側媒体リンクの外部受信アドレスＦとを関連付け、且つ前記新規媒体リンクにおいて前記ｅＭＳＣが送信した媒体データを受信するための伝送アドレスＪをＳＩＰ応答コールを介して前記ｅＭＳＣに送信する
請求項６に記載のシステム。
【請求項８】
前記ＩＣＰは、さらに、前記ＳＩＰ呼び出しリクエストメッセージを受信した後、前記ＡＧＷに前記伝送アドレスＨを含むマップリクエストを送信し、
前記ＡＧＷは、前記伝送アドレスＨと前記リモート側媒体リンクとを関連付け、且つ前記伝送アドレスＪを割り当て、前記伝送アドレスＪをマップ応答を介して前記ＩＣＰに送信する
請求項７に記載のシステム。
【請求項９】
前記ｅＭＳＣが送信した呼び出しリクエストは、総合サービスデジタルネットワークユーザープロトコル（ＩＳＵＰ）の初期アドレスメッセージであり、当該メッセージは、新規媒体リンクにおいてｅＭＳＣ端においてＣＳ媒体を伝送するためのラインリソースのライン番号Ｌ１を含み、
前記ＩＣＰは、さらに、前記初期アドレスメッセージを受信した後、前記ｅＭＳＣにＩＳＵＰのＡＮＭメッセージを返し、当該メッセージは、前記新規媒体リンクにおいてｅＭＳＣ端とリモート側との間にＣＳ媒体を伝送するためのラインリソースのライン番号Ｌ２を含む
請求項６に記載のシステム。
【請求項１０】
前記ＩＣＰは、さらに、前記初期アドレスメッセージを受信した後、前記ＡＧＷに前記ライン番号Ｌ１を含むマップリクエストを送信し、
前記ＡＧＷは、前記マップリクエストを受信した後、ライン番号Ｌ１と前記リモート側媒体リンクとを関連付け、前記ライン番号Ｌ２を割り当て、前記ライン番号Ｌ２をマップ応答を介してＩＣＰに送信する
請求項９に記載のシステム。
【請求項１１】
単一無線音声通信継続性システムをサポートする制御装置であって、相互に接続されている受信モジュールと関連モジュールとを備え、
前記受信モジュールは、
強化型移動交換センター（ｅＭＳＣ）が送信した呼び出しリクエストを受信し、且つ受信した呼び出しリクエストを前記関連モジュールに知らせ、
前記関連モジュールは、
シグナリングによってアンカリングされる前記制御装置、及び媒体によってアンカリングされる、前記制御装置によって制御されるアクセスゲートウェイ（ＡＧＷ）のＩＰマルチメディアサブシステム（ＩＭＳ）セッションを、ユーザー端末（ＵＥ−１）がパケット交換（ＰＳ）ネットワークを介してリモート側と確立した後、受信した前記呼び出しリクエストに応じて、ＡＧＷを制御して、前記呼び出しリクエストによって確立された媒体リンクと前記ＩＭＳセッションのリモート側媒体リンクとを関連付ける
制御装置。
【請求項１２】
前記ｅＭＳＣが送信した呼び出しリクエストは、セッション開始プロトコル（ＳＩＰ）呼び出しリクエストメッセージであり、当該メッセージは、前記ｅＭＳＣが新しく割り当てた新規媒体リンクにおいて媒体データを受信するための伝送アドレスＨを含み、
前記関連モジュールは、さらに、前記伝送アドレスＨと前記リモート側媒体リンクの外部受信アドレスＦとを関連付け、且つ前記新規媒体リンクにおいて前記ｅＭＳＣが送信した媒体データを受信するための伝送アドレスＪをＳＩＰ応答コールを介して前記ｅＭＳＣに送信する
請求項１１に記載の制御装置。
【請求項１３】
前記ｅＭＳＣが送信した呼び出しリクエストは、総合サービスデジタルネットワークユーザープロトコル（ＩＳＵＰ）の初期アドレスメッセージであり、当該メッセージは、新規媒体リンクにおいてｅＭＳＣ端においてＣＳ媒体を伝送するためのラインリソースのライン番号Ｌ１を含み、
前記関連モジュールは、さらに、前記ｅＭＳＣにＩＳＵＰのＡＮＭメッセージを返し、前記ＡＮＭメッセージは、前記新規媒体リンクにおいてｅＭＳＣ端とリモート側との間にＣＳ媒体を伝送するためのラインリソースのライン番号Ｌ２を含む
請求項１１に記載の制御装置。
【発明の詳細な説明】
【技術分野】
【０００１】
本発明は、通信分野に関し、特に、単一無線音声通信継続性実現方法及び単一無線音声通信継続性システムに関する。
【背景技術】
【０００２】
ＩＰマルチメディアサブシステム（ＩＰ  Ｍｕｌｔｉｍｅｄｉａ  Ｃｏｒｅ  Ｎｅｔｗｏｒｋ  Ｓｕｂｓｙｓｔｅｍ：ＩＭＳと略称）は、第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ：３ＧＰＰと略称）によって提案されたＩＰに基づくネットワークアーキテクチャであり、開放的かつ柔軟な業務環境を構築し、マルチメディアアプリケーションをサポートし、ユーザーに豊かなマルチメディアサービスを提供できる。
【０００３】
ＩＭＳサービスシステムにおいて、制御層とサービス層は、分離されるものであり、制御層は、具体的なサービスを提供せず、サービス層に必要なトリガー、ルート、課金などの機能のみを提供する。
【０００４】
制御層においてサービストリガー機能と制御機能は、コールセッション制御機能（Ｃａｌｌ  Ｓｅｓｓｉｏｎ  Ｃｏｎｔｒｏｌ  Ｆｕｎｃｔｉｏｎ：ＣＳＣＦと略称）により達成される。コールセッション制御機能は、プロキシ−コールセッション制御機能（Ｐｒｏｘｙ−ＣＳＣＦ：Ｐ−ＣＳＣＦと略称）、インテロゲーティング−コールセッション制御機能（Ｉｎｔｅｒｒｏｇａｔｉｎｇ−ＣＳＣＦ：Ｉ−ＣＳＣＦと略称）及びサービング−コールセッション制御機能（Ｓｅｒｖｉｎｇ−ＣＳＣＦ：Ｓ−ＣＳＣＦと略称）の３種類のタイプに分けられ、ここで、主要な役割を担うのはＳ−ＣＳＣＦであり、Ｉ−ＣＳＣＦは選択可能なものである。
【０００５】
サービス層は、一連のアプリケーションサーバ（Ａｐｐｌｉｃａｔｉｏｎ  Ｓｅｒｖｅｒ：ＡＳと略称）からなり、具体的な業務サービスを提供でき、このＡＳは独立な実体でもよく、Ｓ−ＣＳＣＦ内に存在していてもよい。
【０００６】
制御層（Ｓ−ＣＳＣＦ）は、ユーザーの契約情報に応じて、サービストリガーを制御し、ＡＳにおけるサービスを呼び出して、サービス機能を実現する。ＡＳとＳ−ＣＳＣＦは、サーバ装置（Ｓｅｒｖｅｒ  Ｅｑｕｉｐｍｅｎｔ：ＳＥと略称）と総称されてもよい。
【０００７】
セッションにおけるエンドツーエンド装置は、ユーザー装置（Ｕｓｅｒ  Ｅｑｕｉｐｍｅｎｔ：ＵＥと略称）と称され、使用者との対話を担当する。あるＵＥは、複数種のネットワークアクセス方式を有しており、例えば、３ＧＰＰによるパケット交換（Ｐａｃｋｅｔ  Ｓｗｉｔｃｈ：ＰＳと略称）ドメインを介してネットワークにアクセスしたり、他の非３ＧＰＰによるＰＳドメインを介してネットワークにアクセスしたり、さらに回線交換（Ｃｉｒｃｕｉｔ  Ｓｗｉｔｃｈ：ＣＳと略称）ドメインを介してネットワークにアクセスしたりすることができる。
【０００８】
ＩＭＳネットワークとの対話を実現するためのセッション開始プロトコル（Ｓｅｓｓｉｏｎ  Ｉｎｉｔｉａｌ  Ｐｒｏｔｏｃｏｌ：ＳＩＰ）インターフェースを提供する強化型移動交換センター（ｅｎｈａｎｃｅｄ  Ｍｏｂｉｌｅ  Ｓｗｉｔｃｈ  Ｃｅｎｔｅｒ：ｅＭＳＣと略称）がＣＳネットワークに配置されると、ＩＭＳネットワークとＣＳネットワークとの対話がｅＭＳＣによって実現される。
【０００９】
複数種のアクセス方式を有するＵＥについて、該ＵＥが、ある時刻に１つだけのアクセス方式を用い、この１つのアクセス方式で、あるサービス、例えば通話を実行する場合、ＵＥが他の場所に移動して当該ＵＥの利用中のアクセス方式を変更する必要がある場合に、ＵＥとネットワークがある方式を提供して当該ＵＥの実行中のサービスが中断されされてしまうことを防止する。このような機能は、単一無線音声通話端末業務継続性と称され、単一無線音声通信継続性（Ｓｉｎｇｌｅ  Ｒａｄｉｏ  Ｖｏｉｃｅ  Ｃａｌｌ  Ｃｏｎｔｉｎｕｉｔｙ：ＳＲＶＣＣと略称）と略称される。
【００１０】
図１は、単一無線音声通信継続性を示す図であり、単一無線音声通話端末ＵＥ−１とＩＭＳ端末ＵＥ−２がセッションを確立したシグナリング経路と媒体経路、及び単一無線音声通話端末業務継続性が発生した後の、ＵＥ−１とＵＥ−２とのシグナリング経路と媒体経路が記述されている。図面と記述を簡略化するために、Ｓ−ＣＳＣＦと業務継続性ＡＳ（ＳＣ  ＡＳ）とは１つの実体で描かれており、両者は互いにＩＭＳ標準に基づくＳＩＰプロトコルを用いて通信する。
【００１１】
単一無線音声通信継続性が発生する前、ＵＥ−１とＵＥ−２とは、以下に記述されるようなシグナリング経路を使用してセッションを確立する。
【００１２】
Ａ１０２は、ＵＥ−１とＰ−ＣＳＣＦとの間のシグナリング経路であり、これらは、ＩＭＳのＳＩＰプロトコルを介して互いに通信する。ＳＣ  ＡＳにとって、このシグナル経路はアクセス側（Ａｃｃｅｓｓ  ｌｅｇ）経路である。
【００１３】
Ａ１０４は、Ｐ−ＣＳＣＦとＳＣ  ＡＳ／Ｓ−ＣＳＣＦとの間のシグナリング経路であり、これらは、ＩＭＳのＳＩＰプロトコルを介して互いに通信する。ＳＣ  ＡＳにとって、このシグナリング経路もアクセス側（Ａｃｃｅｓｓ  ｌｅｇ）経路に属する。
【００１４】
Ｒ１０１は、ＳＣ  ＡＳ／Ｓ−ＣＳＣＦとＵＥ−２との間のシグナリング経路であり、これらは、ＩＭＳのＳＩＰプロトコルを介して互いに通信する。ＳＣ  ＡＳにとって、このシグナリング経路は、リモート側（Ｒｅｍｏｔｅ  ｌｅｇ）経路である。
【００１５】
単一無線音声通信継続性が発生した後、ＵＥ−１とＵＥ−２との間のシグナリング経路及び媒体経路は、すべて変化する。ここで、ＵＥ−１とＵＥ−２との間のシグナリング経路の変化についての記述は、以下のとおりである。
【００１６】
Ａ１１２は、ＵＥ−１とｅＭＳＣとの間のシグナリング経路であり、これらは、ＣＳドメインのシグナリングプロトコルを介して互いに通信する。ＳＣ  ＡＳにとって、このシグナリング経路は、アクセス側（Ａｃｃｅｓｓ  ｌｅｇ）経路である。
【００１７】
Ａ１１４は、ｅＭＳＣとＳＣ  ＡＳ／Ｓ−ＣＳＣＦとの間のシグナリング経路であり、これらは、ＩＭＳのＳＩＰプロトコルを介して互いに通信する。ＳＣ  ＡＳにとって、このシグナリング経路もアクセス側（Ａｃｃｅｓｓ  ｌｅｇ）経路に属する。
【００１８】
Ｒ１０１は、ＳＣ  ＡＳ／Ｓ−ＣＳＣＦとＵＥ−２との間のシグナリング経路であり、これらは、ＩＭＳのＳＩＰプロトコルを介して互いに通信する。ＳＣ  ＡＳにとって、このシグナリング経路は、リモート側（Ｒｅｍｏｔｅ  ｌｅｇ）経路であり、単一無線音声通信継続性が発生した後、当該リモート側経路は変化していない。
【００１９】
図２は、従来の単一無線音声通信継続性のアーキテクチャであり、単一無線音声通信継続性を実現することに関与するネットワークの各関連部分又はネットワーク要素、及びネットワークの各関連部分又はネットワーク要素の間のインターフェース又は接続関係が記述されている。記述は、以下のとおりである。
【００２０】
ネットワーク要素に関連する記述は、以下のとおりである。
ＵＥは、単一無線音声通信継続性機能を有するユーザー端末装置である。
ＣＳネットワークは、ユーザーに従来のＣＳ業務を提供するネットワークである。
ＰＳネットワークは、ユーザーにＰＳ業務を提供するネットワークであり、その制御ネットワーク要素は、移動管理体（Ｍｏｂｉｌｉｔｙ  Ｍａｎａｇｅｍｅｎｔ  Ｅｎｔｉｔｙ：ＭＭＥ）又はサービングＧＰＲＳサポートノード（Ｓｅｒｖｉｎｇ  ＧＰＲＳ  Ｓｕｐｐｏｒｔ  Ｎｏｄｅ：ＳＧＳＮ）である。
ｅＭＳＣは、ＰＳネットワーク制御ネットワーク要素によって送信されたハンドオーバーリクエストを処理し、セッションのドメイン間移転を実行し、ＣＳハンドオーバー動作とドメイン間移転動作とを関連付ける。
ＩＭＳネットワークは、ユーザーにＩＭＳ業務を提供するネットワークである。
【００２１】
インターフェースに関連する記述は、以下のとおりである。
Ｓ２０２は、ＵＥとＣＳネットワークとの間の情報対話を実現するための、ＵＥとＣＳネットワークとの間の無線インターフェース（ＣＳ無線インターフェースと略称）である。ＣＳ無線インターフェースとしては、例えば標準的なＵｍインターフェースが挙げられる。
【００２２】
Ｓ２０４は、ＵＥとＰＳネットワーク制御ネットワーク要素との間の情報対話を実現するための、ＵＥとＰＳネットワーク制御ネットワーク要素との間の無線インターフェース（ＰＳ無線インターフェースと略称）である。ＰＳ無線インターフェースとしては、例えば標準的なＵｕインターフェースが挙げられる。
【００２３】
Ｓ２０６は、ＣＳネットワークとｅＭＳＣとの間のインターフェース（ＣＳシグナリングインターフェースと称されてもよい）であり、接続した具体的なネットワーク要素に応じて異なり、例えば、ｅＭＳＣと基地局サブシステムとの間のインターフェースは、標準的なＩｕ−ＣＳインターフェースであり、ｅＭＳＣと他の移動交換センターとの間のインターフェースは、標準的な局間シグナリングインターフェース、即ちＥインターフェースとＮｃインターフェースである。
【００２４】
Ｓ２０８は、ドメイン間ハンドオーバーサポートを提供するための、ＰＳネットワーク制御ネットワーク要素の制御ネットワーク要素とｅＭＳＣとの間のシグナリングインターフェース（ドメイン間ハンドオーバーシグナリングインターフェースと称されてもよい）である。当該インターフェースは、標準的なＳｖインターフェースである。
【００２５】
Ｓ２１０は、例えば標準のＳＧｉインターフェースなどのような、ＰＳネットワーク制御ネットワーク要素とインターネットとの間のシグナリングインターフェースである。当該インターフェースは、ＵＥとインターネットとの間の情報対話にＩＰデータベアラを提供でき、ＩＭＳネットワークがインターネットに基づくため、特殊なインターネットと言うことができる。
【００２６】
Ｓ２１２は、ｅＭＳＣとＩＭＳネットワークとの間のシグナリング経路であり、これは、ｅＭＳＣとＩＭＳネットワークとの間においてＩＭＳに基づくＳＩＰプロトコルの標準的なＩ２インターフェースでもよく、ｅＭＳＣと媒体ゲートウェイとの間の標準的なＮｃインターフェースと、媒体ゲートウェイとＩＭＳネットワークとの間の標準的なＭｇインターフェースとを接続させて構成させてもよい。ｅＭＳＣと媒体ゲートウェイとの間の標準的なＮｃインターフェースと、媒体ゲートウェイとＩＭＳネットワークとの間の標準的なＭｇインターフェースとを接続させて構成させる前記シグナリング経路の場合、媒体ゲートウェイは、ＮｃインターフェースにおけるメッセージをＩＭＳのＳＩＰメッセージとして解釈する又は逆にする。Ｎｃインターフェースは、ＳＩＰプロトコルに基づいていもよく（Ｎｃ−ＳＩＰ）、総合サービスデジタルネットワークユーザープロトコル（ＩＳＤＮ  Ｕｓｅｒ  Ｐｒｏｔｏｃｏｌ：ＩＳＵＰプロトコル）基づいていてもよい（Ｎｃ−ＩＳＵＰ）。Ｎｃ−ＳＩＰとＩ２インターフェースとは、両方ともＳＩＰプロトコルに基づくが、ＳＩＰプロトコルは、メッセージのフォームのみを規定し、メッセージの内容を規定していない（メッセージの内容は、アプリケーションによって決められる）。Ｉ２インターフェースを用いることは、ｅＭＳＣがＩＭＳに関連するアプリケーションをサポートすることを示し、Ｎｃ−ＳＩＰインターフェースを用いることは、ｅＭＳＣが従来のＣＳに関連するアプリケーションをサポートすることを示す。
【００２７】
図３は、従来の単一無線音声通信継続性の実現方法のフローチャートである。図３には、ＵＥ−１とＵＥ−２との間にＩＭＳセッションが確立され、これにより、ＵＥ−１とＰＳネットワーク制御ネットワーク要素との間の媒体接続、及びＰＳネットワーク制御ネットワーク要素とＵＥ−２との間の媒体接続からなるＩＭＳ媒体接続経路が確立されることが記述されており、また、ＵＥ−１が、単一無線音声通信継続性を発生した後、元のセッションを維持しつつ、ＵＥ−１及びネットワークのサポート下のＣＳドメインを用いて媒体接続を確立することを実現する過程が記述されている。当該過程は、以下のステップを含む。
【００２８】
ステップ３０１：  ＵＥ−１は、ＰＳネットワーク制御ネットワーク要素との間のＳ２０４インターフェースを介して、当該ＵＥ−１にサービスを提供するＰＳネットワーク制御ネットワーク要素に測定レポートを送信して、セルの信号強度の測定情報を報告する。
【００２９】
ステップ３０２：  ＵＥ−１にサービスを提供するＰＳネットワーク制御ネットワーク要素（元のＰＳネットワーク制御ネットワーク要素）は、測定レポートにおける各セルの信号強度情報に応じて、隣接のＣＳネットワークがＵＥ−１へのサービスの提供により適していると判定した場合、ハンドオーバー動作の実行を決定する。
【００３０】
ステップ３０３：  元のＰＳネットワーク制御ネットワーク要素における制御ネットワーク要素（例えば移動性管理体（Ｍｏｂｉｌｅ  Ｍａｎａｇｅｍｅｎｔ  Ｅｎｔｉｔｙ：ＭＭＥと略称）又はＳＧＳＮ）は、ＰＳネットワーク制御ネットワーク要素における制御ネットワーク要素とｅＭＳＣとの間のＳ２０８インターフェースを介して、ｅＭＳＣにハンドオーバーリクエスト、例えばＨａｎｄｏｖｅｒ  ｒｅｑｕｅｓｔ（ハンドオーバーリクエスト）メッセージを送信する。当該メッセージは、ＵＥ−１の番号情報と、ＰＳネットワーク制御ネットワーク要素がホーム加入者サーバ（Ｈｏｍｅ  Ｓｕｂｓｃｒｉｂｅｒ  Ｓｅｒｖｅｒ：ＨＳＳと略称）を介して取得した、業務継続性リクエストを識別することに用いられるＳＣ  ＡＳの番号情報とを含む。
【００３１】
ステップ３０４：  ターゲットＣＳネットワークの媒体リンクリソースを用意するように、ｅＭＳＣは、標準的なＣＳハンドオーバープロセスを実行する。
【００３２】
ステップ３０５：  ＣＳハンドオーバープロセスを完了した後、ｅＭＳＣは、Ｓ２０８インターフェースを介してＰＳネットワーク制御ネットワーク要素に、例えばＨａｎｄｏｖｅｒ  ｒｅｓｐｏｎｓｅ（ハンドオーバー応答）メッセージを送信する。
【００３３】
ステップ３０６：  ＰＳネットワーク制御ネットワーク要素は、ハンドオーバー応答メッセージを受信した後、Ｓ２０４インターフェースを介してＵＥ−１にハンドオーバーコマンドメッセージを送信し、ＣＳドメインにハンドオーバーするようにＵＥ−１に通知する。
【００３４】
ステップ３０７：  ＵＥ−１はハンドオーバーコマンドメッセージを受信した後、アクセス方式をＣＳドメインによるアクセス方式に変更する。
【００３５】
ここまでの処理で、ＵＥ−１とＣＳネットワークとの間のＣＳ媒体接続、及びＣＳネットワークとｅＭＳＣとの間のＣＳ媒体接続からなるＣＳ媒体接続経路がＵＥ−１とｅＭＳＣとの間に確立される。
【００３６】
以下のステップは、ステップ３０３の後に発生し、ステップ３０４〜３０７と順序的な関係はない。
【００３７】
ステップ３０８：  ｅＭＳＣは、ＰＳネットワーク制御ネットワーク要素における制御ネットワーク要素が送信したハンドオーバーリクエストメッセージを受信した後、ＳＣ  ＡＳに呼び出しリクエストを送信する。
【００３８】
呼び出しリクエストは、Ｓ２１２のシグナリング経路（相互接続と相互通信シグナリング経路と称されてもよい）を介して送信されるため、この呼び出しリクエストは、ＳＩＰのＩＮＶＩＴＥ（セッション確立要求）メッセージであってもよく、ＩＳＵＰのＩＡＭ（初期アドレスメッセージ）メッセージであってもよい。当該呼び出しリクエストは、ＵＥ−１の番号情報及びＳＣ ＡＳの番号情報を含み、ここで、ＳＣ ＡＳの番号情報は、着信情報として用いられ、ＵＥ−１の番号情報は、発信情報として用いられる。
【００３９】
ステップ３０９：  ＳＣ ＡＳは、最後に、ＣＳＣＦによって転送されたＩＭＳのＳＩＰ ＩＮＶＩＴＥメッセージを受信し、ＳＣ ＡＳは着信情報に応じてこれが無線音声通信継続性要求であると判断し、さらにその後、発信情報に応じて、現在の呼び出しに関連する進行中の呼び出しをサーチする。
【００４０】
ステップ３１０：  ＳＣ ＡＳは、関連する進行中の呼び出しのシグナリング経路において、ＣＳＣＦを介してＵＥ−２にＩＭＳの更新リクエスト、例えばＵＰＤＡＴＥ（更新）又はｒｅＩＮＶＩＴＥ（更新セッション確立要求）メッセージを送信する。
【００４１】
ステップ３１１：  ＵＥ−２は、更新リクエストを受信した後、ＩＭＳの更新許容メッセージに応答し、例えば「２００   ＯＫ」メッセージを送信する。
【００４２】
ステップ３１２：  ＳＣ   ＡＳは、ＣＳＣＦによって転送されした更新許容メッセージを受信した後、Ｓ２１２のシグナリング経路を介してｅＭＳＣに応答コールメッセージ、例えば「２００  ＯＫ」メッセージを送信する。ｅＭＳＣが最後に受信したメッセージは、ＳＩＰの「２００  ＯＫ」メッセージである可能性があり、ＩＳＵＰのＡＮＭ（応答メッセージ）メッセージである可能性もある。
【００４３】
ここまでの処理で、ｅＭＳＣとＵＥ−２との間に新しい媒体経路が確立され、ｅＭＳＣが当該新規媒体経路とＣＳ媒体経路とを接続し、ＵＥ−１がＵＥ−２とセッションを続けるようになる。
【００４４】
以上の説明から分かるように、ホームネットワークに設置されたＳＣ  ＡＳは媒体経路のアンカリング（anchoring）を行わないため、従来の単一無線音声通信継続性実現方法を採用する場合、ステップ３１０〜３１１において、リモート側に対して更新動作を実行する必要があり、更新動作を実行するＩＭＳシグナリングの伝送遅延が長すぎるため、ＣＳ媒体が確立された後に、新しい媒体経路を確立するまでに長い時間がかかり、これにより通話中断時間が大きくなってしまう問題が引き起こされる。
【発明の概要】
【発明が解決しようとする課題】
【００４５】
本発明は、従来技術における不足を克服し、リモート側に対して更新を行う必要がない単一無線音声通信継続性実現方法及び単一無線音声通信継続性システムを提供することを目的とする。
【課題を解決するための手段】
【００４６】
本発明に係る単一無線音声通信継続性実現方法は、シグナリングによってアンカリングされるＩＰマルチメディアサブシステム制御点（ＩＣＰ）、及び媒体によってアンカリングされる、ＩＣＰに制御されるアクセスゲートウェイ（ＡＧＷ）のＩＰマルチメディアサブシステムＩＭＳセッションを、ユーザー端末（ＵＥ−１）がパケット交換（ＰＳ）ネットワークを介してリモート側と確立した後、以下のように実現される。
ＰＳネットワーク制御ネットワーク要素は、強化型移動交換センター（ｅＭＳＣ）にハンドオーバーリクエストを送信して、前記ＩＭＳセッションを回線交換（ＣＳ）ネットワークによるアクセスモードにハンドオーバーするようにリクエストする。
前記ｅＭＳＣは、前記ハンドオーバーリクエストを受信した後、ＵＥ−１に前記ｅＭＳＣとの通信のための媒体リンクリソースを用意し、且つＩＣＰに呼び出しリクエストを送信する。
ＩＣＰは、ＡＧＷを制御して前記呼び出しリクエストによって確立された媒体リンクと、前記ＩＭＳセッションのリモート側媒体リンクとを関連付ける。
【００４７】
前記方法は、以下の特徴をさらに有してもよい。
ｅＭＳＣが送信する前記呼び出しリクエストは、セッション開始プロトコルＳＩＰ呼び出しリクエストメッセージであり、当該メッセージは前記ｅＭＳＣが新しく割り当てる新規媒体リンクにおいて媒体データを受信するための伝送アドレスＨを含む。
ＩＣＰが前記呼び出しリクエストによって確立された媒体リンクと、前記ＩＭＳセッションのリモート側媒体リンクとを関連付けるステップにおいて、前記ＩＣＰは、前記ＳＩＰ呼び出しリクエストメッセージを受信した後、前記伝送アドレスＨと前記リモート側媒体リンクの外部受信アドレスＦとを関連付け、且つ前記新規媒体リンクにおいて前記ｅＭＳＣが送信した媒体データを受信するための伝送アドレスＪをＳＩＰ応答コールを介して前記ｅＭＳＣに送信する。
【００４８】
前記方法は、以下の特徴をさらに有してもよい。
ＩＣＰが、前記呼び出しリクエストによって確立された媒体リンクと、前記ＩＭＳセッションのリモート側媒体リンクとを関連付けるステップにおいて、
前記ＩＣＰは、前記ＳＩＰ呼び出しリクエストメッセージを受信した後、アクセスゲートウェイ（ＡＧＷ）に前記伝送アドレスＨを含むマップリクエストを送信する。
ＡＧＷは、前記伝送アドレスＨと前記リモート側媒体リンクとを関連付け、且つ前記伝送アドレスＪを割り当て、前記伝送アドレスＪをマップ応答を介してＩＣＰに送信する。
【００４９】
前記方法は、以下の特徴を更に有してもよい。
ｅＭＳＣが送信する前記呼び出しリクエストは、総合サービスデジタルネットワークユーザープロトコル（ＩＳＵＰ）の初期アドレスメッセージであり、当該メッセージは、新規媒体リンクにおいてｅＭＳＣ端においてＣＳ媒体を伝送するためのラインリソースのライン番号Ｌ１を含む。
ＩＣＰが、前記呼び出しリクエストにより確立された媒体リンクと前記ＩＭＳセッションのリモート側媒体リンクとを関連付けるステップにおいて、前記ＩＣＰは、前記初期アドレスメッセージを受信した後、前記ｅＭＳＣにＩＳＵＰのＡＮＭメッセージを返し、当該メッセージは、前記新規媒体リンクにおいてｅＭＳＣ端とリモート側との間にＣＳ媒体を伝送するためのラインリソースのライン番号Ｌ２を含む。
【００５０】
前記方法は、以下の特徴を更に有してもよい。
ＩＣＰが、前記呼び出しリクエストによって確立された媒体リンクと前記ＩＭＳセッションのリモート側媒体リンクとを関連付けるステップにおいて、
前記ＩＣＰは、前記初期アドレスメッセージを受信した後、ＡＧＷに前記ライン番号Ｌ１をキャリーするマップリクエストを送信する。
前記マップリクエストを受信した後、ＡＧＷは、ライン番号Ｌ１と前記リモート側媒体リンクとを関連付け、且つ前記ライン番号Ｌ２を割り当て、前記ライン番号Ｌ２をマップ応答を介してＩＣＰに送信する。
【００５１】
本発明に係る単一無線音声通信継続性システムは、パケット交換（ＰＳ）ネットワーク制御ネットワーク要素、回線交換（ＣＳ）ネットワーク、強化型移動交換センター（ｅＭＳＣ）、ＩＰマルチメディアサブシステム制御点（ＩＣＰ）及びアクセスゲートウェイ（ＡＧＷ）を備える。
前記ＰＳネットワーク制御ネットワーク要素は、ｅＭＳＣにハンドオーバーリクエストを送信して、ＩＰマルチメディアサブシステム（ＩＭＳ）セッションを前記ＣＳネットワークによるアクセスモードにハンドオーバーするようにリクエストし、前記ＩＭＳセッションは、シグナリングによってアンカリングされるＩＣＰ、及び媒体によってアンカリングされる、ＩＣＰによって制御されるアクセスゲートウェイ（ＡＧＷ）のセッションであって、ユーザー端末（ＵＥ−１）が前記ＰＳネットワークを介してリモート側と確立したセッションである。
前記ｅＭＳＣは、前記ハンドオーバーリクエストを受信した後、ＵＥ−１に前記ｅＭＳＣとの通信のための媒体リンクリソースを用意し、且つＩＣＰに呼び出しリクエストを送信する。
前記ＩＣＰは、ＡＧＷを制御して前記呼び出しリクエストによって確立された媒体リンクと前記ＩＭＳセッションのリモート側媒体リンクとを関連付ける。
【００５２】
前記システムは、以下の特徴を更に備えてもよい。
前記ｅＭＳＣが送信する呼び出しリクエストは、セッション開始プロトコル（ＳＩＰ）呼び出しリクエストメッセージであり、当該メッセージは、前記ｅＭＳＣが新しく割り当てた新規媒体リンクにおいて媒体データを受信するための伝送アドレスＨを含む。
前記ＩＣＰは、さらに、前記ＳＩＰ呼び出しリクエストメッセージを受信した後、前記伝送アドレスＨと前記リモート側媒体リンクの外部受信アドレスＦとを関連付け、且つ前記新規媒体リンクにおいて前記ｅＭＳＣが送信した媒体データを受信するための伝送アドレスＪをＳＩＰ応答コールを介して前記ｅＭＳＣに送信する。
【００５３】
前記システムは、以下の特徴をさらに備えてもよい。
前記ＩＣＰは、さらに、前記ＳＩＰ呼び出しリクエストメッセージを受信した後、前記ＡＧＷに前記伝送アドレスＨを含むマップリクエストを送信する。
前記ＡＧＷは、前記伝送アドレスＨと前記リモート側媒体リンクとを関連付け、且つ前記伝送アドレスＪを割り当て、前記伝送アドレスＪをマップ応答を介して前記ＩＣＰに送信する。
【００５４】
前記システムは、以下の特徴を備えてもよい。
前記ｅＭＳＣが送信した呼び出しリクエストは、総合サービスデジタルネットワークユーザープロトコル（ＩＳＵＰ）の初期アドレスメッセージであり、当該メッセージは、新規媒体リンクにおいてｅＭＳＣ端においてＣＳ媒体を伝送するためのラインリソースのライン番号Ｌ１を含み。
前記ＩＣＰは、さらに、前記初期アドレスメッセージを受信した後、前記ｅＭＳＣにＩＳＵＰのＡＮＭメッセージを返し、当該メッセージは、前記新規媒体リンクにおいてｅＭＳＣ端とリモート側との間にＣＳ媒体を伝送するためのラインリソースのライン番号Ｌ２を含む。
【００５５】
前記システムは、以下の特徴を備えてもよい。
前記ＩＣＰは、さらに、前記初期アドレスメッセージを受信した後、前記ＡＧＷに前記ライン番号Ｌ１を含むマップリクエストを送信する。
前記ＡＧＷは、前記マップリクエストを受信した後、ライン番号Ｌ１と前記リモート側媒体リンクとを関連付け、且つ前記ライン番号Ｌ２を割り当て、前記ライン番号Ｌ２をマップ応答を介してＩＣＰに送信する。
【００５６】
本発明に係る単一無線音声通信継続性システムをサポートする制御装置は、相互に接続されている受信モジュールと関連モジュールとを備える。
前記受信モジュールは、強化型移動交換センター（ｅＭＳＣ）が送信した呼び出しリクエストを受信し、且つ前記関連モジュールに知らせる。
前記関連モジュールは、シグナリングによってアンカリングされる前記制御装置及び媒体によってアンカリングされる、前記制御装置によって制御されるアクセスゲートウェイ（ＡＧＷ）のＩＰマルチメディアサブシステムＩＭＳセッションを、ユーザー端末（ＵＥ−１）がパケット交換（ＰＳ）ネットワークを介してリモート側と確立した後、受信した前記呼び出しリクエストに応じて、ＡＧＷを制御して前記呼び出しリクエストによって確立された媒体リンクと前記ＩＭＳセッションのリモート側媒体リンクとを関連付ける。
【００５７】
前記制御装置は、以下の特徴を更に備えてもよい。
前記ｅＭＳＣが送信した呼び出しリクエストは、セッション開始プロトコル（ＳＩＰ）呼び出しリクエストメッセージであり、当該メッセージは、前記ｅＭＳＣが新しく割り当てた新規媒体リンクにおいて媒体データを受信するための伝送アドレスＨを含む。
前記関連モジュールは、さらに、前記伝送アドレスＨと前記リモート側媒体リンクの外部受信アドレスＦとを関連付け、且つ前記新規媒体リンクにおいて前記ｅＭＳＣが送信した媒体データを受信するための伝送アドレスＪをＳＩＰ応答コールを介して前記ｅＭＳＣに送信する。
【００５８】
前記制御装置は、以下の特徴を更に備えてもよい。
前記ｅＭＳＣが送信した呼び出しリクエストは、総合サービスデジタルネットワークユーザープロトコル（ＩＳＵＰ）の初期アドレスメッセージであり、当該メッセージは、新規媒体リンクにおいてｅＭＳＣ端においてＣＳ媒体を伝送するためのラインリソースのライン番号Ｌ１を含む。
前記関連モジュールは、さらに、前記ｅＭＳＣにＩＳＵＰのＡＮＭメッセージを返し、前記ＡＮＭメッセージは、前記新規媒体リンクにおいてｅＭＳＣ端とリモート側との間にＣＳ媒体を伝送するためのラインリソースのライン番号Ｌ２を含む。
【００５９】
本発明に係る強化型単一無線音声通信継続性構造及び実現方法によれば、従来技術において中断時間が長すぎる問題を有効に解決し、ユーザーの体験を大きく向上させることができる。
【図面の簡単な説明】
【００６０】
【図１】単一無線音声通信継続性を示す図である。
【図２】従来の単一無線音声通信継続性のアーキテクチャである。
【図３】従来の単一無線音声通信継続性の実現方法のフローチャートである。
【図４】本発明に係る実施例の強化型単一無線音声通信継続性のアーキテクチャを示す図である。
【図５】本発明に係る実施例の強化型単一無線音声通信継続性のフローチャートを示す図である。
【図６】本発明に係る実施例の強化型単一無線音声通信継続性のアーキテクチャ１である。
【図７】本発明に係る実施例のアーキテクチャ１に基づく強化型単一無線音声通信継続性のフローチャート１（Ｎｃ−ＳＩＰ）である。
【図８】本発明に係る実施例のアーキテクチャ１に基づく強化型単一無線音声通信継続性のフローチャート２（Ｎｃ−ＩＳＵＰ）である。
【図９】本発明に係る実施例のアーキテクチャ１に基づくＩＣＰとＰＧＷ／ＧＧＳＮとの一体化アーキテクチャである。
【図１０】本発明に係る実施例のアーキテクチャ１に基づくＩＣＰとｅＭＳＣとの一体化アーキテクチャである。
【図１１】本発明に係る実施例の図１０に基づく強化型単一無線音声通信継続性のフローチャートである。
【図１２】本発明に係る実施例のアーキテクチャ１に基づくＩＣＰとＡＧＷとの一体化アーキテクチャである。
【図１３】本発明に係る実施例のアーキテクチャ１に基づくＩＣＰ、ＡＧＷ及びＰＧＷ／ＧＧＳＮの一体化アーキテクチャである。
【図１４】本発明に係る実施例の強化型単一無線音声通信継続性のアーキテクチャ２である。
【図１５】本発明に係る実施例のアーキテクチャ２に基づく強化型単一無線音声通信継続性のフローチャート（Ｎｃ−ＳＩＰ）である。
【図１６】本発明に係る実施例のアーキテクチャ２に基づくＩＣＰとＰ−ＣＳＣＦとの一体化アーキテクチャである。
【図１７】本発明に係る実施例のアーキテクチャ２に基づくＩＣＰとｅＭＳＣとの一体化アーキテクチャである。
【図１８】本発明に係る実施例の図１７に基づく強化型単一無線音声通信継続性のフローチャートである。
【図１９】本発明に係る実施例のアーキテクチャ２に基づくＩＣＰとＳＣ  ＡＳとの一体化アーキテクチャである。
【図２０】本発明に係る実施例の図１９に基づく強化型単一無線音声通信継続性のフローチャートである。
【発明を実施するための形態】
【００６１】
本発明の核となる着想は、シグナリングと媒体をアンカリングするために、拡張ネットワーク要素を導入し（又は従来のネットワーク要素上に対応する機能を追加する）、単一無線音声通信継続性が発生した後、シグナリングを拡張ネットワーク要素に送信し、拡張ネットワーク要素が、セッションの関連付けによってシグナリングの伝送を中止し、且つ元のセッション媒体経路のローカル側を更新し、一方でリモート側を不変に維持するというものである。
【００６２】
以下、図面と実施例を合わせて本発明を詳しく説明する。
図４は、本発明に係る実施例の強化型単一無線音声通信継続性のアーキテクチャを示す図であり、図４には、強化型単一無線音声通信継続性を実現するネットワーク各関連部分又はネットワーク要素、及びそれらの間のインターフェース又は接続関係が記述されている。具体的な記述は、以下のとおりである。
【００６３】
関連ネットワーク要素に関する記述は、以下のとおりである。
【００６４】
標準ＳＲＶＣＣアーキテクチャ部分は、ＩＭＳネットワークを含まない以外は、図２における各ネットワーク要素と同じである。
【００６５】
拡張部分は、以下のようなネットワーク要素を含む。
ＩＣＰ（ＩＭＳ  Ｃｏｎｔｒｏｌ  Ｐｏｉｎｔ  ：ＩＭＳ制御点）は、アクセスゲートウェイ（Ａｃｃｅｓｓ  ＧａｔｅＷａｙ：ＡＧＷ）を制御してリソースを割り当てたり、媒体経路をマッピング又は関連付けたりすることに用いられる。
ＡＧＷは、媒体データの転送処理に用いられる。
ＩＭＳネットワーク要素は、即ちＩＭＳネットワークの各標準ネットワーク要素である。
実施例に応じて、ＩＣＰとＡＧＷは、ＩＭＳネットワークの一部であってもよく、ＩＭＳネットワークの一部ではなくてもよい。
【００６６】
関連インターフェースの記述は、以下のとおりである。
Ｓ４０２〜Ｓ４１０は、図２におけるＳ２０２〜Ｓ２１０と同じであり、拡張部分はインターネットに基づくものであるため、Ｓ４１０インターフェースは具体的なネットワーク要素に接続されていない。
【００６７】
Ｓ４１２は、ＵＥと拡張部分とのＩＭＳシグナリングインターフェースであり、当該インターフェースは論理インターフェースであり、ＵＥと拡張部分とのインタラクションのＩＭＳシグナリングを伝送することに用いられる。当該インターフェースが具体的に拡張部分のどのネットワーク要素に接続されるかは、具体的な実施例に応じて決められ、ＩＣＰとＡＧＷがＩＭＳネットワークの一部である場合、当該インターフェースは、標準接続方法に属するため、表示及び記載されなくてもよい。
【００６８】
Ｓ４１４は、図２におけるＳ２１２と同じである。
【００６９】
Ｓ４１６は、ＩＣＰとＡＧＷとの間のシグナリングインターフェースであり、ＩＣＰが当該インターフェースを用いてＡＧＷを制御してリソースを割り当てたり、媒体経路をマッピング又は関連付けたりする。
【００７０】
Ｓ４１８は、ＩＣＰとＩＭＳネットワーク要素との間のシグナリングインターフェースであり、ＵＥとＰ−ＣＳＣＦとの間のＩＭＳプロトコルメッセージ、又はＰ−ＣＳＣＦとＩ−ＣＳＣＦ／Ｓ−ＣＳＣＦとの間のＩＭＳプロトコルメッセージ、又はＣＳＣＦとＳＣ  ＡＳとの間のＩＭＳプロトコルメッセージを伝送することに用いられ、具体的には、ＩＣＰの位置に応じて決められる。
【００７１】
図５は、本発明に係る実施例の強化型単一無線音声通信継続性のフローチャートを示す図である。図５には、ＵＥ−１とＵＥ−２との間にＩＭＳセッションが確立されるときの過程が記述され、また、ＩＭＳセッションの確立完了後に、ＵＥ−１が単一無線音声通信継続性を発生し、ＵＥ−１及びネットワークがどのようにしてＵＥ−１によってＣＳドメインを使用して媒体接続を確立し、且つ元のセッション継続を維持するかの過程が記述されている。この過程は、以下のステップを含む。
【００７２】
ステップ５０１〜５０２：  ＵＥ−１は、ＩＭＳ呼び出しリクエストを開始し、例えばＩＮＶＩＴＥメッセージを送信する。当該呼び出しリクエストは、実際にはＳ４０４及びＳ４１０インターフェースで伝送され、ＰＳネットワーク制御ネットワーク要素が確立したＩＰベアラによってキャリーされるため、ＰＳネットワーク制御ネットワーク要素を通過することができる。媒体データを受信するための、ＵＥ−１の伝送アドレス情報は、呼び出しリクエストに含まれ、Ｂと表示される。当該呼び出しリクエストは、ＩＣＰにルーティングされ、このルーティング過程では、ＩＭＳネットワークのある特定のネットワーク要素を通過する可能性があり、通過しない可能性もある。これは、具体的な実施例に応じて決められる。
【００７３】
ステップ５０３：  ＩＣＰは、Ｓ４１６インターフェースを介してＡＧＷにアドレスリソースを割り当てるように要求し、例えば、ＩＣＰは、伝送アドレス情報Ｂが含まれる割り当てリクエストメッセージを送信する。
【００７４】
ステップ５０４：  ＡＧＷは、ポートリソースＣとＦを割り当てる。ここで、ポートＦは、リモート側が送信した媒体データを受信することに用いられ、また、ポートＦは、ポートＦによって受信された全ての媒体データを伝送アドレスＢに転送することができるように、受信された媒体データと、伝送アドレス情報Ｂとの関連関係を確立するために用いられる。ポートＣは、ポートＦによって受信された媒体データを転送することに用いられる。ポートリソースを割り当てた後、ＡＧＷは、Ｓ４１６インターフェースを介してＩＣＰに割り当て許容メッセージ、例えば、割り当て応答メッセージを送信する。当該メッセージは、ポートＦの情報を含む。記述を簡略化するため、ＩＰアドレス及びポートの情報を含む、ポートＦに対応する伝送アドレス情報は、引き続きＦと表示される。
【００７５】
ＵＥ−１が確立しようとする呼び出しが１種以上の媒体を含む場合、Ｂは、異なる媒体データを受信するための複数の伝送アドレス情報を含む。ステップ５０３では、異なる媒体データを受信するための複数の伝送アドレス情報を含む１つのメッセージが用いられてもよく、それぞれ媒体データを受信するための１つの伝送アドレス情報を含む複数のメッセージが用いられてもよい。対応して、ステップ５０４では、複数のポート情報を含む１つのメッセージが用いられてもよく、それぞれ１つのポート情報を含む複数のメッセージが用いられてもよい。具体的な実現方法は、本発明の本質に影響を与えるものではない。
【００７６】
ステップ５０５：  ＩＣＰは、ステップ５０２におけるＩＭＳ呼び出しリクエスト内の伝送アドレスＢを伝送アドレスＦに切り替え、リモート側にＩＭＳ呼び出しリクエストを転送する。
【００７７】
ステップ５０６：  リモート側は、ＩＭＳ呼び出しリクエストを受信した後、ＩＭＳ応答コール、例えば「２００  ＯＫ」メッセージを送信する。当該メッセージは、リモート側において媒体データを受信するための伝送アドレス情報（Ｘと表示される）を含む。
【００７８】
ステップ５０７：  ＩＣＰは、ＩＭＳ応答コールを受信した後、Ｓ４１６インターフェースを介してＡＧＷにアドレスリソースを割り当てるように要求する。例えば、ＩＣＰは、伝送アドレス情報Ｘを含む割り当てリクエストメッセージを送信する。
【００７９】
ステップ５０８：  ＡＧＷは、ポートリソースＤとＥを割り当てる。ここで、ポートＤは、ＵＥ−１が送信する媒体データを受信することに用いられ、また、ポートＤは、ポートＤによって受信された全ての媒体データを伝送アドレスＸに転送することができるように、受信された媒体データと、伝送アドレスＸとの関係を確立するために用いられる。ポートＥは、ポートＤによって受信された媒体データを転送することに用いられる。ポートリソースを割り当てた後、ＡＧＷは、Ｓ４１６インターフェースを介してＩＣＰに割り当て許容メッセージ、例えば、割り当て応答メッセージを送信する。このメッセージは、ポートＤの情報を含む。記述を簡略化するために、ポートＤに対応する伝送アドレス情報は、引き続きＤと表示される。
【００８０】
Ｘが異なる媒体データを受信するための複数の伝送アドレス情報を含む場合、ステップ５０７では、異なる媒体データを受信するための複数の伝送アドレス情報を含む１つのメッセージが用いられてもよく、それぞれ媒体データを受信するための１つの伝送アドレス情報を含む複数のメッセージが用いられてもよい。対応して、ステップ５０８では、複数のポート情報を含む１つのメッセージが用いられてもよく、それぞれ１つのポート情報を含む複数のメッセージが用いられてもよい。具体的な実現方法は、本発明の本質に影響を与えるものではない。
【００８１】
ステップ５０９〜５１０：  ＩＣＰは、ステップ５０６におけるＩＭＳ応答コール内の伝送アドレスＸを伝送アドレスＤに切り替えて、ＵＥ−１にＩＭＳ応答コールを転送する。当該メッセージは、ある特定のＩＭＳネットワーク要素を通過する可能性があり、通過しない可能性もあり、これは、具体的な実施例に応じて決められる。当該メッセージは、実際にＰＳネットワーク制御ネットワーク要素が確立したＩＰベアラにキャリーされて、ＵＥ−１に伝送されるため、ＰＳネットワーク制御ネットワーク要素を確実に通過する。
【００８２】
ここまでの処理で、ＵＥ−１とリモート側は、ＵＥ−１とＡＧＷとの間のＩＭＳ媒体接続１（ＩＭＳ媒体１と略称）、及びＡＧＷとリモート側との間のＩＭＳ媒体接続２（ＩＭＳ媒体２と略称）を含むＩＭＳ媒体接続を確立する。
【００８３】
以下は、ＵＥ−１がドメイン間ハンドオーバーを発生するときのステップの記述である。
【００８４】
ステップ５１１〜５１７：  図３におけるステップ３０１〜３０７と同じである。
【００８５】
ステップ５１８：  ｅＭＳＣは、ＰＳネットワーク制御ネットワーク要素における制御ネットワーク要素のハンドオーバーリクエストメッセージを受信した後、ＩＣＰに呼び出しリクエストを送信する。当該リクエストはＳ４１４のシグナリング経路を介して送信されるため、このリクエストは、ＳＩＰのＩＮＶＩＴＥ（セッション確立要求）メッセージであってもよく、ＩＳＵＰのＩＡＭ（初期アドレスメッセージ）メッセージであってもよい。当該呼び出しリクエストは、ＵＥ−１の番号情報、及びＩＣＰの番号情報又は識別情報を含む。ＩＣＰの番号情報又は識別情報は着信情報とされ、ＵＥ−１の番号情報は発信情報とされる。
【００８６】
ステップ５１８及び以下のステップは、ステップ５１３の後に発生し、ステップ５１４〜５１７とは順序的な関係はない。
【００８７】
ステップ５１９：  ＩＣＰは、５１８の呼び出しリクエストが５０２のセッションのハンドオーバーリクエスト（呼び出しのターゲットは、ＩＣＰの番号情報又は識別情報であり、呼び出しの発信情報を介してステップ５０２のセッションと関連付けることができる）であるかを判断し、新規媒体と元のＩＭＳ媒体２を互いに接続するためのマッピング動作を実行するようにＡＧＷに要求する。この動作の具体的な実現方式は、アーキテクチャに応じて異なる。
【００８８】
ステップ５２０：  マッピング動作を完了した後、ＩＣＰは、Ｓ４１４のシグナリング経路を介してｅＭＳＣに応答コールメッセージを送信する。ｅＭＳＣが最後に受信するメッセージは、ＳＩＰの「２００  ＯＫ」メッセージである可能性もあり、ＩＳＵＰのＡＮＭメッセージである可能性もある。これは、具体的な接続方式に応じて決められる。
【００８９】
ここまでの処理で、ｅＭＳＣとＡＧＷとの間に新しい媒体経路が確立され、ｅＭＳＣは、当該新規媒体経路とＣＳ媒体経路とを接続し、ＡＧＷは、当該新規媒体経路とＩＭＳ媒体接続２とを接続し、これにより、ＵＥ−１がＵＥ−２との通話を続けることが可能になる。
【００９０】
本発明に係る実施例の単一無線音声通信継続性システムをサポートする制御装置（即ち本発明におけるＩＣＰ）は、互いに接続された受信モジュール及び関連モジュールを備える。
【００９１】
前記受信モジュールは、強化型移動交換センター（ｅＭＳＣ）が送信した呼び出しリクエストを受信し、受信した呼び出しリクエストを前記関連モジュールに知らせるように構成される。
【００９２】
前記関連モジュールは、シグナリングによってアンカリングされる前記制御装置、及び媒体によってアンカリングされる、前記制御装置に制御されるアクセスゲートウェイＡＧＷのＩＰマルチメディアサブシステムＩＭＳセッションを、ユーザー端末（ＵＥ−１）がパケット交換ＰＳネットワークを介してリモート側と確立した後、受信した前記呼び出しリクエストに応じて、ＡＧＷを制御して前記呼び出しリクエストによって確立された媒体リンクと前記ＩＭＳセッションのリモート側媒体リンクとを関連付けるように構成される。
【００９３】
前記ｅＭＳＣが送信する呼び出しリクエストが、セッション開始プロトコルＳＩＰ呼び出しリクエストメッセージである場合、当該メッセージは、前記ｅＭＳＣが新たに割り当てた、新規媒体リンクにおいて媒体データを受信するための伝送アドレスＨを含む。前記関連モジュールは、さらに、前記伝送アドレスＨと前記リモート側媒体リンクの外部受信アドレスＦとを関連付け、前記新規媒体リンクにおいて前記ｅＭＳＣが送信した媒体データを受信するための伝送アドレスＪを、ＳＩＰ応答コールを介して前記ｅＭＳＣに送信するように構成される。
【００９４】
前記ｅＭＳＣが送信する呼び出しリクエストが、総合サービスデジタルネットワークユーザープロトコル（ＩＳＵＰ）の初期アドレスメッセージである場合、当該メッセージは、新規媒体リンクにおいてｅＭＳＣ端においてＣＳ媒体を伝送するためのラインリソースのライン番号Ｌ１を含む。前記関連モジュールは、さらに、前記新規媒体リンクにおいてｅＭＳＣ端とリモート側との間でＣＳ媒体を伝送するためのラインリソースのライン番号Ｌ２を含むＩＳＵＰのＡＮＭメッセージを前記ｅＭＳＣに返すように構成される。
【００９５】
記述を簡略化するために、以下の実施例では、Ｓ４１０に対応するインターフェース情報を表示及び記載しない。これは、当該インターフェースがＩＰ接続関係を表示し、また、ＩＭＳネットワーク及び本発明の拡張部分の全体がＩＰに基づくサービスネットワークであるので、本発明に対する完全な記述に影響を与えることがないためである。
【００９６】
第１のアーキテクチャ実施例
図６は、本発明に係る実施例の強化型単一無線音声通信継続性のアーキテクチャ１を示す図であり、強化型単一無線音声通信継続性を実現するネットワーク各関連部分又はネットワーク要素、及びそれらの間のインターフェース又は接続関係が記述されている。具体的な記述は、以下のとおりである。
【００９７】
関連ネットワーク要素の記述は、以下のとおりである。
標準ＳＲＶＣＣアーキテクチャ部分は、図４における各ネットワーク要素と同じである。
ＩＣＰは、ＡＧＷを制御してリソースを割り当て、媒体経路をマッピング又は関連付ける。
ＡＧＷは、ＩＰ媒体データの転送、又はＣＳ媒体データとＩＰ媒体データとの間の転送を実現することに用いられる。
【００９８】
関連インターフェースの記述は、以下のとおりである。
Ｓ６０２〜Ｓ６０８は、図４におけるＳ４０２〜Ｓ４０８と同じである。
Ｓ６１２は、ＵＥとＩＣＰとの間のＩＭＳシグナリングインターフェースであり、ＩＣＰを介してＵＥとＰ−ＣＳＣＦとの間のＩＭＳシグナリングを伝送することに用いられる、例えばＩＭＳ標準のＧｍインターフェースなどのインターフェースである。
【００９９】
Ｓ６１４は、ｅＭＳＣとＩＣＰとの間のシグナリングインターフェースであり、ｅＭＳＣとＩＣＰとがリンクを構築する過程において、メッセージを伝送することに用いられる。このインターフェースとしては、例えば標準的なＮｃインターフェースなどが挙げられ、当該インターフェースは、ＳＩＰに基づくＮｃ−ＳＩＰインターフェースであってもよく、ＩＳＵＰに基づくＮｃ−ＩＳＵＰインターフェースであってもよい。
【０１００】
Ｓ６１６は、ＩＣＰとＡＧＷとの間のシグナリングインターフェースであり、ＩＣＰがＡＧＷを制御してリソースを割り当てたり、媒体経路をマッピング又は関連付けたりするために用いられる。
【０１０１】
Ｓ６１８は、ＩＣＰとＩＭＳネットワーク要素との間のシグナリングインターフェースであり、ＩＣＰを介してＵＥとＰ−ＣＳＣＦとの間のＩＭＳプロトコルメッセージを伝送することに用いられる、例えばＩＭＳ標準のＧｍインターフェースなどのインターフェースである。
【０１０２】
第１のプロセス実施例
図７は、本発明に係る実施例のアーキテクチャ１に基づく強化型単一無線音声通信継続性のフローチャート１（Ｎｃ−ＳＩＰ）である。図７には、ＵＥ−１とＵＥ−２との間のＩＭＳセッションが確立された後、ＵＥ−１が単一無線音声通信継続性を発生し、ＵＥ−１及びネットワークがどのようにしてＵＥ−１によってＣＳドメインを用いて媒体接続を確立し、且つ元のセッション継続を維持するかの過程が記載されている。ｅＭＳＣとＩＣＰとの間にはＮｃ−ＳＩＰインターフェースが用いられる。この過程は、以下のステップを含む。
【０１０３】
ステップ７０１：  図５のステップ５０１〜５１０に類似し、ＩＭＳメッセージは、ＵＥとＩＣＰとの間で、いずれかの標準ＩＭＳネットワーク要素を通過せずに伝送され、ＵＥ−１とリモート側は、ＵＥ−１とＡＧＷとの間のＩＭＳ媒体接続１、及びＡＧＷとリモート側との間のＩＭＳ媒体接続２が含まれるＩＭＳ媒体接続を確立する。
【０１０４】
ステップ７０２：  図５におけるステップ５１１〜５１７と同じである。
【０１０５】
ステップ７０３：  ｅＭＳＣは、ＰＳネットワーク制御ネットワーク要素における制御ネットワーク要素のハンドオーバーリクエストメッセージを受信した後、Ｓ６１４のシグナリング経路を介してＩＣＰに呼び出しリクエストを送信する。当該実施例において、Ｓ６１４インターフェースはＮｃ−ＳＩＰインターフェースであるため、送信されるメッセージは、ＳＩＰのＩＮＶＩＴＥ（セッション確立要求）メッセージであり、呼び出しリクエストは、ＵＥ−１の番号情報、及びＩＣＰの番号情報又は識別情報を含む。ＩＣＰの番号情報又は識別情報は、着信情報とされ、ＵＥ−１の番号情報は発信情報とされ、且つ当該メッセージはｅＭＳＣにおいて媒体データを受信するための伝送アドレスＨを含む。
【０１０６】
ステップ７０３は、ステップ７０２が完了する前に実行してもよく、具体的には、ステップ５１８の関連記述を参照することで詳細に理解することができる。
【０１０７】
ステップ７０４：  ＩＣＰは、ステップ７０３の呼び出しリクエストがステップ７０１のセッションのハンドオーバーリクエストであると判断し、ＡＧＷにマッピング動作を実行するように要求し、例えばＭａｐ  ｒｅｑｕｅｓｔ（マップリクエスト）メッセージを送信する。当該メッセージは、ｅＭＳＣの伝送アドレスＨ及び元のＩＭＳ媒体接続２の伝送アドレスＦ、又は元のＩＭＳ媒体接続１の伝送アドレスＤを含む。
【０１０８】
ステップ７０５：  ＡＧＷは、マッピング動作を実行して、新規媒体接続と元のＩＭＳ媒体接続２とを接続し、且つ新しいローカル側媒体データの受信ポートＪを割り当てる。記述を簡略化するために、ポートＪに対応する伝送アドレス情報は、引き続きＪと表示される。マッピング動作を完了した後、ＡＧＷは、Ｓ６１６インターフェースを介してＩＣＰにマップ応答メッセージ、例えばＭａｐ  ｒｅｓｐｏｎｓｅ（マップ応答）メッセージを送信する。当該メッセージは、ＡＧＷにおいて媒体データを受信するための伝送アドレスＪを含む。
【０１０９】
ステップ７０６：  ＩＣＰは、マップ応答を受信した後、Ｓ６１４インターフェースを介してｅＭＳＣにＮｃ−ＳＩＰの応答メッセージ、例えば「２００  ＯＫ」メッセージを送信する。当該メッセージは、取得したＡＧＷの媒体リソース情報を含む。
【０１１０】
ここまでの処理で、ｅＭＳＣとＡＧＷとの間に新しい媒体経路が確立され、ｅＭＳＣは、当該新規媒体経路とＣＳ媒体経路とを接続し、ＡＧＷは、当該新規媒体経路とＩＭＳ媒体接続２とを接続し、これにより、ＵＥ−１がＵＥ−２との通話を続けることが可能になる。
【０１１１】
第２のプロセス実施例
図８は、本発明実施例のアーキテクチャ１に基づく強化型単一無線音声通信継続性のフローチャート２（Ｎｃ−ＩＳＵＰ）である。図８では、ＵＥ−１とＵＥ−２との間のＩＭＳセッションが確立した後、ＵＥ−１が単一無線音声通信継続性を発生し、ＵＥ−１及びネットワークがどのようにしてＵＥ−１によってＣＳドメインを用いて媒体接続を確立し、且つ元のセッション継続を維持するかの過程が記載されている。ｅＭＳＣとＩＣＰとの間には、Ｎｃ−ＳＩＰインターフェースが用いられる。この過程は、以下のステップを含む。
【０１１２】
ステップ８０１〜８０２：  図７のステップ７０１〜７０２と同じである。
ステップ８０３  ：ｅＭＳＣは、ＰＳネットワーク制御ネットワーク要素における制御ネットワーク要素のハンドオーバーリクエストメッセージを受信した後、Ｓ６１４のシグナリング経路を介してＩＣＰに呼び出しリクエストを送信する。当該実施例では、Ｓ６１４インターフェースはＮｃ−ＩＳＵＰインターフェースであるため、送信されるメッセージはＩＳＵＰのＩＡＭメッセージであり、このメッセージは、ｅＭＳＣにおいてＣＳ媒体を伝送するためのラインリソースのライン番号Ｌ１を含む。当該呼び出しリクエストは、ＵＥ−１の番号情報及びＩＣＰの番号情報を含み、ＩＣＰの番号情報は着信情報として用いられ、ＵＥ−１の番号情報は、発信情報として用いられる。
【０１１３】
ステップ８０３は、ステップ８０２が完了する前に実行してもよく、具体的には、ステップ５１８の関連記述を参照して詳細に理解することができる。
【０１１４】
ステップ８０４：  ＩＣＰは、ステップ８０３の呼び出しリクエストがステップ８０１のセッションのハンドオーバーリクエストであると判断し、任意選択で、ＩＣＰは、ＡＧＷにライン割り当て動作を実行するように要求し、例えばＬｉｎｅ  Ａｌｌｏｃ  ｒｅｑｕｅｓｔ（ライン割り当てリクエスト）メッセージを送信する。当該メッセージは、取得したライン番号Ｌ１を含み、Ｓ６１６インターフェースを介して伝送される。
【０１１５】
ステップ８０５：  ＡＧＷは、ライン割り当てリクエストを受信した後、ＣＳ媒体を伝送するための、ライン番号Ｌ２に対応するラインリソースを割り当て、その後、Ｓ６１６インターフェースを介してＩＣＰにライン割り当て応答、例えば、割り当てられたライン番号Ｌ２を含むＬｉｎｅ  Ａｌｌｏｃ  ｒｅｓｐｏｎｓｅ（ライン割り当て応答）メッセージを送信する。
【０１１６】
ステップ８０６：  ＩＣＰは、ＡＧＷにマッピング動作を実行するように要求し、例えばＭａｐ  ｒｅｑｕｅｓｔ（マップリクエスト）メッセージを送信する。当該メッセージは、取得したライン番号Ｌ１を含み、ステップ８０４〜８０５が実行される場合、当該メッセージは、取得したライン番号Ｌ２を含んでいてもよい。また、当該メッセージは、元のＩＭＳ媒体接続２の伝送アドレスＦ、又は元のＩＭＳ媒体接続１の伝送アドレスＤを含む。
【０１１７】
ステップ８０７：  ＡＧＷは、マッピング動作を実行して、新規媒体接続と元のＩＭＳ媒体接続２とを接続する。ステップ８０４〜８０５が実行されなかった場合、マッピング動作によってライン番号情報をキャリーするため、ＡＧＷは、ＣＳ媒体データを伝送するための新しいラインリソースを割り当て、対応するライン番号をＬ２と設定する。ステップ８０４〜８０５が実行された場合、ラインリソースは既に割り当てられており、ＡＧＷは、Ｓ６１６インターフェースを介してＩＣＰにマップ応答メッセージ、例えばＭａｐ  ｒｅｓｐｏｎｓｅ（マップ応答）メッセージを送信する。８０４〜８０５が実行される場合、当該メッセージは、ライン番号情報を含んでいなくてもよく、実行されない場合、当該メッセージは、新しく割り当てられたライン番号Ｌ２の情報を含んでいてもよい。
【０１１８】
ステップ８０８：  ＩＣＰは、マップ応答を受信し、Ｓ６１４インターフェースを介してｅＭＳＣにＮｃ−ＩＳＵＰの応答メッセージ、例えば、ＡＮＭメッセージを送信する。当該メッセージは、取得したＡＧＷのＣＳ媒体データを伝送するライン情報を含む。
【０１１９】
ここまでの処理により、ｅＭＳＣとＡＧＷとの間に新しいＣＳ媒体経路が確立され、ｅＭＳＣは、当該新規媒体経路、及びＵＥとｅＭＳＣとの間のＣＳ媒体経路を接続し、ＡＧＷは、当該新規ＣＳ媒体経路とＩＭＳ媒体接続２とを接続し、これにより、ＵＥ−１がＵＥ−２との通話を続けることが可能となる。
【０１２０】
第２のアーキテクチャ実施例
図９は、本発明に係る実施例のアーキテクチャ１に基づくＩＣＰとＰＧＷ／ＧＧＳＮとの一体化アーキテクチャである。図９には、強化型単一無線音声通信継続性の実現に関与するネットワーク各関連部分又はネットワーク要素、及びそれらの間のインターフェース又は接続関係が記述されている。その記述は、以下のとおりである。
【０１２１】
関連ネットワーク要素の記述は、以下のとおりである。
標準ＳＲＶＣＣアーキテクチャ部分は、ＰＳネットワーク制御ネットワーク要素が異なる以外、図４における各ネットワーク要素と同じである。
【０１２２】
ＰＧＷ／ＧＧＳＮは、ＰＳネットワーク制御ネットワーク要素とインターネットとの接続のためのネットワーク要素であり、ＰＳネットワーク制御ネットワーク要素に属するネットワーク要素である。このネットワーク要素は、パケットデータネットワークゲートウェイ（Ｐａｃｋｅｔ  Ｄａｔａ  Ｎｅｔｗｏｒｋ  ＧａｔｅＷａｙ）／グローバルＧＰＲＳサポートノード（Ｇｌｏｂａｌ  ＧＰＲＳ  Ｓｕｐｐｏｒｔ  Ｎｏｄｅ）と称され、ＰＳネットワーク制御ネットワーク要素とＩＰネットワークとのインタラクションを処理する。当該ネットワーク要素は、ＩＭＳ制御点（ＩＭＳ  Ｃｏｎｔｒｏｌ  Ｐｏｉｎｔ）機能を新たに追加し、ＡＧＷを制御してリソースを割り当てたり、媒体経路をマッピング又は関連付けたりする。
【０１２３】
ＡＧＷは、アクセスゲートウェイ（Ａｃｃｅｓｓ  ＧａｔｅＷａｙ）であり、ＩＰ媒体データの転送、又はＣＳ媒体データとＩＰ媒体データとの間の転送を実現する。
【０１２４】
関連インターフェースの記述は、以下のとおりである。
Ｓ９０２〜Ｓ９０８は、図４におけるＳ４０２〜Ｓ４０８と同じである。
Ｓ９１２は、ＵＥとＰＧＷ／ＧＧＳＮとの間のＩＭＳシグナリングインターフェースであり、ＰＧＷ／ＧＧＳＮを介してＵＥとＰ−ＣＳＣＦとの間のＩＭＳシグナリングを伝送することに用いられる。このインターフェースは、例えばＩＭＳ標準のＧｍインターフェースであってもよい。
【０１２５】
Ｓ９１４は、ｅＭＳＣとＰＧＷ／ＧＧＳＮとの間のシグナリングインターフェースであり、ｅＭＳＣとＰＧＷ／ＧＧＳＮがリンクを構築する過程において、メッセージを伝送することに用いられる。このインターフェースとしては、例えば標準的なＮｃインターフェースが挙げられ、これは、ＳＩＰに基づくもの（Ｎｃ−ＳＩＰ）であってもよく、ＩＳＵＰに基づくもの（Ｎｃ−ＩＳＵＰ）であってもよい。
【０１２６】
Ｓ９１６は、ＰＧＷ／ＧＧＳＮとＡＧＷとの間のシグナリングインターフェースであり、ＰＧＷ／ＧＧＳＮがＡＧＷを制御してリソースを割り当てたり、媒体経路をマッピング又は関連付けたりするために用いられる。
【０１２７】
Ｓ９１８は、ＰＧＷ／ＧＧＳＮとＩＭＳネットワーク要素との間のシグナリングインターフェースであり、ＰＧＷ／ＧＧＳＮを介してＵＥとＰ−ＣＳＣＦとの間のＩＭＳプロトコルメッセージを伝送することに用いられる。このインターフーイスは、例えばＩＭＳ標準のＧｍインターフェースであってもよい。
【０１２８】
当該アーキテクチャのプロセス実施例は、図７及び図８におけるＩＣＰがＰＧＷ／ＧＧＳＮに置き換えられた点を除いて、図７及び図８とほとんど同じであるため、ここでは、詳細については省略する。
【０１２９】
第３のアーキテクチャ実施例
図１０は、本発明に係る実施例のアーキテクチャ１に基づくＩＣＰとｅＭＳＣとの一体化アーキテクチャである。図１０には、強化型単一無線音声通信継続性の実現に関与するネットワーク各関連部分又はネットワーク要素、及びそれらの間のインターフェース又は接続関係が記載されている。その記述は、以下のとおりである。
【０１３０】
関連ネットワーク要素の記述は、以下のとおりである。
標準ＳＲＶＣＣアーキテクチャ部分は、ｅＭＳＣが異なる以外、図４における各ネットワーク要素と同じである。
ｅＭＳＣは、強化型移動交換センターであり、ＰＳネットワーク制御ネットワーク要素が送信したハンドオーバーリクエストを処理し、セッションのドメイン間移転を実行し、ＣＳハンドオーバー動作とドメイン間移転動作とを関連付ける。当該ネットワーク要素は、ＩＭＳ制御点（ＩＭＳ  Ｃｏｎｔｒｏｌ  Ｐｏｉｎｔ）機能を新たに追加し、ＡＧＷを制御してリソースを割り当てたり、媒体経路をマップッピング又は関連付けたりする。
ＡＧＷは、アクセスゲートウェイ（Ａｃｃｅｓｓ  ＧａｔｅＷａｙ）であり、ＣＳ媒体データとＩＰ媒体データとの間の転送を実現する。
【０１３１】
関連インターフェースの記述は、以下のとおりである。
Ｓ１００２〜Ｓ１００８は、図４におけるＳ４０２〜Ｓ４０８と同じである。
【０１３２】
Ｓ１０１２は、ＵＥとｅＭＳＣとの間のＩＭＳシグナリングインターフェースであり、ｅＭＳＣを介してＵＥとＰ−ＣＳＣＦとの間のＩＭＳシグナリングを伝送することに用いられる。このインターフェースは、例えばＩＭＳ標準のＧｍインターフェースであってもよい。
【０１３３】
Ｓ１０１６は、ｅＭＳＣとＡＧＷとの間のシグナリングインターフェースであり、ｅＭＳＣがＡＧＷを制御してリソースを割り当てたり、媒体経路をマップ又は関連付けたりするために用いられる。
【０１３４】
Ｓ１０１８は、ｅＭＳＣとＩＭＳネットワーク要素との間のシグナリングインターフェースであり、ｅＭＳＣを介してＵＥとＰ−ＣＳＣＦとの間のＩＭＳプロトコルメッセージを伝送することに用いられる。このインターフェースは、例えばＩＭＳ標準のＧｍインターフェースであってもよい。
【０１３５】
第３のプロセス実施例
図１１は、本発明に係る実施例の図１０に基づく強化型単一無線音声通信継続性のフローチャートである。図１１には、ＵＥ−１とＵＥ−２との間にＩＭＳセッションが確立されるときの過程が記述され、また、図１１には、ＩＭＳセッションが確立された後、ＵＥ−１が単一無線音声通信継続性を発生し、ＵＥ−１及びネットワークがどのようにしてＵＥ−１によってＣＳドメインを用いて媒体接続を確立し、且つ元のセッション継続を維持するかの過程が記述されている。ＵＥ−１にハンドオーバーされるターゲットセルは、ｅＭＳＣの管理に属さず、別の一つのＭＳＣの管理に属する。このプロセスは、以下のステップを含む。
【０１３６】
ステップ１１０１：  ＵＥ−１は、ＩＭＳ呼び出しリクエストを開始し、例えばＩＮＶＩＴＥメッセージを送信する。当該メッセージは、ＰＳネットワーク制御ネットワーク要素によって提供されたＩＰベアラにキャリーされ、ＵＥ−１において媒体データを受信するための伝送アドレス情報（Ｂと表示される）を含む。このメッセージは、ｅＭＳＣにルーティングされ、このルーティング過程はＩＭＳネットワークのいずれかのネットワーク要素を通過しない。
【０１３７】
ステップ１１０２：  ｅＭＳＣは、Ｓ１０１６インターフェースを介して、ＡＧＷにアドレスリソースを割り当てることをリクエストし、例えば伝送アドレス情報Ｂを含む割り当てリクエストメッセージを送信する。
【０１３８】
ステップ１１０３：  ＡＧＷは、ポートリソースＣとＦを割り当てる。ポートＦは、リモート側が送信した媒体データを受信することに用いられ、また、ポートＦは、ポートＦによって受信された全ての媒体データを伝送アドレスＢに転送することができるように、関連関係を確立するために用いられる。ポートＣは、ポートＦによって受信された媒体データを転送することに用いられる。ポートリソースを割り当てた後、ＡＧＷは、Ｓ１０１６インターフェースを介してｅＭＳＣに割り当て許容メッセージ、例えば、ポートＦの情報を含む割り当て応答メッセージを送信する。記述を簡略化するために、ＩＰアドレスとポートの情報を含む、ポートＦに対応する伝送アドレス情報は、引き続きＦと表示される。
【０１３９】
ＵＥ−１が確立しようとする呼び出しが１種以上の媒体を含む場合、伝送アドレスＢは、異なる媒体データを受信するための複数の伝送アドレス情報を含む。ステップ１１０２では、異なる媒体データを受信するための複数の伝送アドレス情報を含む１つのメッセージが用いられてもよく、それぞれ媒体データを受信するための１つの伝送アドレス情報を含む複数のメッセージが用いられてもよい。対応して、ステップ１１０３では、複数のポート情報を含む１つのメッセージが用いられてもよく、又はそれぞれ１つのポート情報を含む複数のメッセージが用いられてもよい。具体的な実現方法は、本発明の本質に影響を与えるものではない。
【０１４０】
ステップ１１０４：ｅＭＳＣは、ステップ１１０１における伝送アドレスＢを伝送アドレスＦに切り替え、その後、ＩＭＳ呼び出しリクエストメッセージを転送する。
【０１４１】
ステップ１１０５：  リモート側は、ＩＭＳ呼び出しリクエストメッセージを受信した後、ＩＭＳ応答コールメッセージ、例えば「２００  ＯＫ」メッセージを送信する。このメッセージは、リモート側において媒体データを受信するための伝送アドレス情報（Ｘと表示される）を含む。
【０１４２】
ステップ１１０６：  ｅＭＳＣは、ＩＭＳ応答コールメッセージを受信し、Ｓ１０１６インターフェースを介してＡＧＷにアドレスリソースを割り当てるようにリクエストする。ｅＭＳＣは、例えば伝送アドレス情報Ｘを含む割り当てリクエストメッセージを送信する。
【０１４３】
ステップ１１０７：  ＡＧＷは、ポートリソースＤとＥを割り当てる。ポートＤは、ＵＥ−１が送信した媒体データを受信することに用いられ、また、ポートＤは、ポートＤによって受信された全ての媒体データを伝送アドレスＸに転送することができるように、関連関係を確立するために用いられる。ポートＥは、ポートＤにより受信された媒体データを転送することに用いられる。ＡＧＦは、ポートリソースを割り当てた後、Ｓ１０１６インターフェースを介してｅＭＳＣに割り当て許容メッセージ、例えば、ポートＤの情報を含む割り当て応答メッセージを送信する。記述を簡略化するために、ポートＤに対応する伝送アドレス情報は、引き続きＤと表示される。
【０１４４】
Ｘが異なる媒体データを受信するための複数の伝送アドレス情報を含む場合、ステップ１１０６では、異なる媒体データを受信するための複数の伝送アドレス情報を含む１つのメッセージが用いられてもよく、それぞれ媒体データを受信するための１つの伝送アドレス情報を含む複数のメッセージが用いられてもよい。対応して、ステップ１１０７では、複数のポート情報を含む１つのメッセージが用いられてもよく、それぞれ１つのポート情報を含む複数のメッセージでもよい。具体的な実現方法は、本発明の本質に影響を与えるものではない。
【０１４５】
ステップ１１０８：  ｅＭＳＣは、ステップ１１０５における伝送アドレスＸを伝送アドレスＤに切り替え、その後、ＩＭＳ応答コールメッセージを転送する。このメッセージは、ＩＭＳネットワーク要素を通過せず、当該メッセージは、実際にＰＳネットワーク制御ネットワーク要素によって確立されたＩＰベアラにキャリーされてＵＥに伝送される。
【０１４６】
ここまでの処理により、ＵＥ−１とリモート側とは、ＵＥ−１とＡＧＷとの間のＩＭＳ媒体接続１、及びＡＧＷとリモート側との間のＩＭＳ媒体接続２を含むＩＭＳ媒体接続を確立する。
【０１４７】
以下のステップは、ＵＥ−１がドメイン間ハンドオーバーを発生する場合の記述である。
【０１４８】
ステップ１１０９〜１１１１：  図５におけるステップ５１１〜５１３と同じである。
【０１４９】
ステップ１１１２：  ｅＭＳＣは、標準的なＣＳハンドオーバープロセスによってターゲットＣＳネットワークの媒体リンクリソースを用意し、ターゲットセルが異なるＭＳＣに属するため、ｅＭＳＣは、ターゲットＭＳＣにハンドオーバーリクエスト、例えばＨａｎｄｏｖｅｒ  Ｒｅｑｕｅｓｔ（ハンドオーバーリクエスト）メッセージを送信する。
【０１５０】
ステップ１１１３：  ターゲットＭＳＣは、ハンドオーバー応答メッセージ、例えば局間ハンドオーバー番号を含むＨａｎｄｏｖｅｒ  ｒｅｓｐｏｎｓｅ（ハンドオーバー応答）メッセージを返す。
【０１５１】
ステップ１１１４：  ｅＭＳＣは、Ｓ１０１６インターフェースを介してＡＧＷにＣＳ媒体のラインリソースの割り当てをリクエストし、ｅＭＳＣは、例えばＬｉｎｅ  Ａｌｌｏｃ  ｒｅｑｕｅｓｔを送信する。
【０１５２】
ステップ１１１５：  ＡＧＷは、ラインリソース割り当てリクエストを受信し、ＣＳ媒体を伝送するためのラインリソースを割り当て、その後、割り当てられたライン番号Ｌ１をｅＭＳＣに返す。例えば、ＡＧＷは、ライン番号Ｌ１の情報をキャリーするＬｉｎｅ  Ａｌｌｏｃ  ｒｅｓｐｏｎｓｅメッセージを送信する。
【０１５３】
ステップ１１１６：  ｅＭＳＣは、ターゲットＭＳＣにリンクを構築するリクエストを送信し、例えば、ｅＭＳＣは、取得したライン番号Ｌ１の情報を含むＩＡＭメッセージを送信する。
【０１５４】
ステップ１１１７：  ターゲットＭＳＣは、標準ＣＳ局間ハンドオーバー過程によってＵＥ−１に無線リソースを用意する。
【０１５５】
ステップ１１１８：  ターゲットＭＳＣは、リンク構築の応答を返し、例えば、ターゲットＭＳＣは、ターゲットＭＳＣにおいてｅＭＳＣとＣＳ媒体データを双方向に伝送するためのラインリソースのライン番号Ｌ２の情報を含むＡＮＭメッセージを送信する。
【０１５６】
ステップ１１１９：  ｅＭＳＣは、ＡＧＷがマッピング動作を実行するようにリクエストし、例えば、ｅＭＳＣは、取得したライン番号Ｌ１又はＬ２と、元のＩＭＳ媒体接続２の伝送アドレスＦ、又は元のＩＭＳ媒体接続１の伝送アドレスＤとを含むＭａｐ ｒｅｑｕｅｓｔ（マップリクエスト）メッセージを送信する。
【０１５７】
ステップ１１２０：  ＡＧＷは、マッピング動作を実行して、新規設媒体接続と元のＩＭＳ媒体接続２とを接続し、Ｓ１０１６インターフェースを介してｅＭＳＣにマップ応答メッセージ、例えばＭａｐ ｒｅｓｐｏｎｓｅ（マップ応答）メッセージを送信する。
【０１５８】
ステップ１１２１：  ｅＭＳＣは、マップ応答を受信し、Ｓ１００８インターフェースを介して元のＰＳネットワーク制御ネットワーク要素にハンドオーバー応答メッセージ、例えばＨａｎｄｏｖｅｒ  ｒｅｓｐｏｎｓｅメッセージを送信する。
【０１５９】
ステップ１１２２：  ＰＳネットワーク制御ネットワーク要素は、ハンドオーバー応答メッセージを受信した後、Ｓ１００４インターフェースを介してＵＥ−１にハンドオーバーコマンドメッセージ、例えばＨａｎｄｏｖｅｒ  Ｃｏｍｍａｎｄ（ハンドオーバーコマンド）メッセージを送信し、ＵＥ−１にＣＳドメインへのハンドオーバーの実行を通知する。
【０１６０】
ステップ１１２３：  ＵＥ−１は、ハンドオーバーコマンドを受信し、アクセス方式をＣＳドメインアクセスモードに調整する。
【０１６１】
ここまでの処理で、ＵＥ−１とＣＳネットワークとの間のＣＳ媒体接続、ＣＳネットワークとターゲットＭＳＣとの間のＣＳ媒体接続、及びターゲットＭＳＣとＡＧＷとの間のＣＳ媒体接続によって構築されたＣＳ媒体接続経路がＵＥ−１とＡＧＷとの間で確立される。さらに、ＡＧＷは、その接続作用によって、新規ＣＳ媒体と元のＩＭＳ媒体接続２とを接続して、ＵＥ−１がＵＥ−２との通話を続けることを可能にする。
【０１６２】
第４のアーキテクチャ実施例
図１２は、本発明に係る実施例のアーキテクチャ１に基づくＩＣＰとＡＧＷとの一体化アーキテクチャである。図１２には、強化型単一無線音声通信継続性の実現に関与するネットワーク各関連部分又はネットワーク要素、及びそれらの間のインターフェース又は接続関係が記載されている。その記述は、以下のとおりである。
【０１６３】
関連ネットワーク要素の記述は、以下のとおりである。
標準ＳＲＶＣＣアーキテクチャ部分は、図４における各ネットワーク要素と同じである。
ＩＡＣＰは、ＩＭＳアクセスと制御点（ＩＭＳ  Ａｃｃｅｓｓ  ａｎｄ  Ｃｏｎｔｒｏｌ  Ｐｏｉｎｔ）機能であり、リソースの割り当て、媒体経路のマッピング又は関連付け、ＩＰ媒体データの転送又はＣＳ媒体データとＩＰ媒体データとの間の転送を実現する。
【０１６４】
関連インターフェースの記述は、以下のとおりである。
Ｓ１２０２〜Ｓ１２０８は、図４におけるＳ４０２〜Ｓ４０８と同じである。
Ｓ１２１２は、ＵＥとＩＡＣＰとの間のＩＭＳシグナリングインターフェースであり、ＩＡＣＰを介してＵＥとＰ−ＣＳＣＦとの間のＩＭＳシグナリングを伝送することに用いられる。このインターフェースは、例えばＩＭＳ標準のＧｍインターフェースであってもよい。
【０１６５】
Ｓ１２１４は、ｅＭＳＣとＩＡＣＰとの間のシグナリングインターフェースであり、ｅＭＳＣとＩＡＣＰがリンクを構築する過程において、メッセージを伝送することに用いられる。このインターフェースとしては、例えば標準のＮｃインターフェースが挙げられ、これは、ＳＩＰに基づく（Ｎｃ−ＳＩＰ）ものであってもよく、ＩＳＵＰに基づく（Ｎｃ−ＩＳＵＰ）ものであってもよい。
【０１６６】
Ｓ１２１８は、ＩＡＣＰとＩＭＳネットワーク要素との間のシグナリングインターフェースであり、ＩＡＣＰを介してＵＥとＰ−ＣＳＣＦとの間のＩＭＳプロトコルメッセージを伝送することに用いられる。このインターフーイスは、例えばＩＭＳ標準のＧｍインターフェースであってもよい。
【０１６７】
当該アーキテクチャのプロセス実施例は、図７及び図８におけるＩＣＰとＡＧＷとがＩＡＣＰに一体化されている点を除いて、図７及び図８とほとんど同じであり、従って、それらの間のメッセージプロセスは内部過程に変更されるため、ここでは、繰り返して説明はしない。
【０１６８】
第５のアーキテクチャ実施例
図１３は、本発明に係る実施例のアーキテクチャ１に基づくＩＣＰ、ＡＧＷ及びＰＧＷ／ＧＧＳＮの一体化アーキテクチャである。図１３には、強化型単一無線音声通信継続性の実現に関与するネットワーク各関連部分又はネットワーク要素、及びそれらの間のインターフェース又は接続関係が記載されている。その記述は、以下のとおりである。
【０１６９】
関連ネットワーク要素の記述は、以下のとおりである。
標準ＳＲＶＣＣアーキテクチャ部分は、図４における各ネットワーク要素と同じである。
【０１７０】
ＰＧＷ／ＧＧＳＮは、インターネットに接続されたＰＳネットワークの制御ネットワーク要素のためのネットワーク要素であり、ＰＳネットワーク制御ネットワーク要素に属するネットワーク要素である。このネットワーク要素は、パケットデータネットワークゲートウェイ（Ｐａｃｋｅｔ  Ｄａｔａ  Ｎｅｔｗｏｒｋ  ＧａｔｅＷａｙ）／グローバルＧＰＲＳサポートノード（Ｇｌｏｂａｌ  ＧＰＲＳ  Ｓｕｐｐｏｒｔ  Ｎｏｄｅ）と称され、ＰＳネットワーク制御ネットワーク要素とＩＰネットワークとの間のインタラクションを処理する。当該ネットワーク要素は、ＩＭＳアクセスと制御点（ＩＭＳ  Ａｃｃｅｓｓ  ａｎｄ  Ｃｏｎｔｒｏｌ  Ｐｏｉｎｔ）機能を新たに追加し、リソースの割り当て、媒体経路のマッピング又は関連付け、ＩＰ媒体データの転送又はＣＳ媒体データとＩＰ媒体データとの間の転送を実現する。
【０１７１】
関連インターフェースの記述は、以下のとおりである。
Ｓ１３０２〜Ｓ１３０８は、図４におけるＳ４０２〜Ｓ４０８と同じである。
Ｓ１３１２は、ＵＥとＰＧＷ／ＧＧＳＮとの間のＩＭＳシグナリングインターフェースであり、ＰＧＷ／ＧＧＳＮを介してＵＥとＰ−ＣＳＣＦとの間のＩＭＳシグナリングを伝送することに用いられる。このインターフェースは、例えばＩＭＳ標準のＧｍインターフェースであってもよい。
【０１７２】
Ｓ１３１４は、ｅＭＳＣとＰＧＷ／ＧＧＳＮとの間のシグナリングインターフェースであり、ｅＭＳＣとＰＧＷ／ＧＧＳＮがリンクを構築する過程において、メッセージを伝送することに用いられる。このインターフェースとしては、例えば標準のＮｃインターフェースが挙げられ、これは、ＳＩＰに基づく（Ｎｃ−ＳＩＰ）ものであってもよく、ＩＳＵＰに基づく（Ｎｃ−ＩＳＵＰ）ものであってもよい。
【０１７３】
Ｓ１３１８は、ＰＧＷ／ＧＧＳＮとＩＭＳネットワーク要素との間のシグナリングインターフェースであり、ＰＧＷ／ＧＧＳＮを介してＵＥとＰ−ＣＳＣＦとの間のＩＭＳプロトコルメッセージを伝送することに用いられる。このインターフェースは、例えばＩＭＳ標準のＧｍインターフェースであってもよい。
【０１７４】
当該アーキテクチャのプロセス実施例は、図７及び図８におけるＩＣＰが、ＡＧＷと一体化されたＰＧＷ／ＧＧＳＮに変更されている点を除いて、図７及び図８とほとんど同じであり、それらの間のメッセージプロセスは内部過程に変更されるため、ここでは、繰り返して説明はしない。
【０１７５】
第６のアーキテクチャ実施例
図１４は、本発明に係る実施例の強化型単一無線音声通信継続性のアーキテクチャ２である。図１４には、強化型単一無線音声通信継続性の実現に関与するネットワーク各関連部分又はネットワーク要素、及びそれらの間のインターフェース又は接続関係が記述されている。その記述は、以下のとおりである。
【０１７６】
関連ネットワーク要素の記述は、以下のとおりである。
標準ＳＲＶＣＣアーキテクチャ部分は、図４における各ネットワーク要素と同じである。
ＩＣＰは、ＩＭＳ制御点（ＩＭＳ  Ｃｏｎｔｒｏｌ  Ｐｏｉｎｔ）であり、ＡＧＷを制御してリソースを割り当てたり、媒体経路をマッピング又は関連付けたりする。
ＡＧＷは、アクセスゲートウェイ（Ａｃｃｅｓｓ  ＧａｔｅＷａｙ）であり、ＩＰ媒体データの転送又はＣＳ媒体データとＩＰ媒体データとの間の転送を実現する。
【０１７７】
関連インターフェースの記述は、以下のとおりである。
Ｓ１４０２〜Ｓ１４０８は、図４におけるＳ４０２〜Ｓ４０８と同じである。
【０１７８】
Ｓ１４１２は、ＵＥとＰ−ＣＳＣＦとの間のＩＭＳシグナリングインターフェースであり、ＵＥとＰ−ＣＳＣＦとの間のＩＭＳシグナリングを伝送することに用いられる。このインターフェースは、例えばＩＭＳ標準のＧｍインターフェースであってもよい。
【０１７９】
Ｓ１４１４は、ｅＭＳＣとＩＣＰとの間のシグナリングインターフェースであり、ｅＭＳＣとＩＣＰがリンクを構築する過程におけて、メッセージを伝送することに用いられる。このインターフェースとしては、例えば標準のＮｃインターフェースが挙げられ、これは、ＳＩＰに基づく（Ｎｃ−ＳＩＰ）ものであってもよく、ＩＳＵＰに基づく（Ｎｃ−ＩＳＵＰ）ものであってもよい。
【０１８０】
Ｓ１４１６は、ＩＣＰとＡＧＷとの間のシグナリングインターフェースであり、ＩＣＰがＡＧＷを制御してリソースを割り当てたり、媒体経路をマッピング又は関連付けたりするために用いられる。
【０１８１】
Ｓ１４１８は、ＩＣＰとＩＭＳのＩ−ＣＳＣＦ又はＳ−ＣＳＣＦとの間のシグナリングインターフェースであり、ＩＣＰを介してＰ−ＣＳＣＦとＩ−ＣＳＣＦ又はＳ−ＣＳＣＦとの間のＩＭＳプロトコルメッセージを伝送することに用いられる。このインターフェースは、例えばＩＭＳ標準のＭｗインターフェースであってもよい。
【０１８２】
Ｓ１４２０は、ＩＣＰとＰ−ＣＳＣＦとの間のシグナリングインターフェースであり、ＩＣＰを介してＰ−ＣＳＣＦとＩ−ＣＳＣＦ又はＳ−ＣＳＣＦとの間のＩＭＳプロトコルメッセージを伝送することに用いられる。このインターフェースは、例えばＩＭＳ標準のＭｗインターフェースであってもよい。
【０１８３】
Ｓ１４１８とＳ１４２０は、ともに図４におけるＳ４１８インターフェースを構成する。
【０１８４】
第４のプロセス実施例
図１５は本発明に係る実施例のアーキテクチャ２に基づく強化型単一無線音声通信継続性のフローチャート（Ｎｃ−ＳＩＰ）である。図１５には、ＵＥ−１とＵＥ−２との間のＩＭＳセッションが確立した後、ＵＥ−１が単一無線音声通信継続性を発生し、ＵＥ−１及びネットワークがどのようにしてＵＥ−１によってＣＳドメインを用いて媒体接続を確立し、元のセッション継続を維持するかの過程が記述されている。ｅＭＳＣとＩＣＰとの間にはＮｃ−ＳＩＰインターフェースが用いられる。この過程は、以下のステップを含む。
【０１８５】
ステップ１５０１：  このステップは、図５におけるステップ５０１〜５１０と類似しているが、ＵＥとＩＣＰとの間のＩＭＳメッセージ伝送が標準ＩＭＳのＰ−ＣＳＣＦネットワーク要素を通過し、ＵＥ−１とＡＧＷとの間のＩＭＳ媒体接続１、及びＡＧＷとリモート側との間のＩＭＳ媒体接続２を含むＩＭＳ媒体接続がＵＥ−１とリモート側で確立される。
【０１８６】
ステップ１５０２  ：このステップは、図５におけるステップ５１１〜５１７と同じである。
【０１８７】
ステップ１５０３：  ｅＭＳＣは、ＰＳネットワーク制御ネットワーク要素によって送信されたハンドオーバーリクエストメッセージを受信した後、Ｓ１４１４のシグナリング経路を介してＩＣＰに呼び出しリクエストを送信する。当該実施例において、Ｓ１４１４インターフェースはＮｃ−ＳＩＰインターフェースであるため、送信されたメッセージはＳＩＰのＩＮＶＩＴＥ（セッション確立要求）メッセージであり、呼び出しリクエストは、ＵＥ−１の番号情報及びＩＣＰの番号情報を含む。ＩＣＰの番号情報は着信情報とされ、ＵＥ−１の番号情報は発信情報とされ、且つこのメッセージはｅＭＳＣにおいて媒体データを受信するための伝送アドレスＨを含む。
【０１８８】
当該ステップは、ステップ１５０２が完了する前に実行してもよく、具体的には、ステップ５１８の関連記述を参照することで詳細に理解することができる。
【０１８９】
ステップ１５０４：  ＩＣＰは、ステップ１５０３の呼び出しリクエストが１５０１のセッションのハンドオーバーリクエストであると判断し、ＡＧＷにマッピング動作を実行するようにリクエストし、例えばＭａｐ ｒｅｑｕｅｓｔ（マップリクエスト）メッセージを送信する。このメッセージは、ｅＭＳＣの伝送アドレスＨ、及び元のＩＭＳ媒体接続２の伝送アドレスＦ又は元のＩＭＳ媒体接続１の伝送アドレスＤを含む。
【０１９０】
ステップ１５０５：  ＡＧＷは、マッピング動作を実行して、新規媒体接続と元のＩＭＳ媒体接続２とを接続し、新しいローカル側媒体データ受信ポートＪを割り当てる。記述を簡略化するために、ポートＪに対応する伝送アドレス情報は引き続きＪと表示される。マッピング動作を完了した後、ＡＧＷは、Ｓ１４１６インターフェースを介してＩＣＰにマップ応答メッセージ、例えばＭａｐ  ｒｅｓｐｏｎｓｅ（マップ応答）メッセージを送信しする。このメッセージは、ＡＧＷが媒体データを受信するための伝送アドレスＪを含む。
【０１９１】
ステップ１５０６：  ＩＣＰは、マップ応答を受信し、Ｓ１４１４インターフェースを介してｅＭＳＣにＮｃ−ＳＩＰの応答メッセージ、例えば「２００  ＯＫ」メッセージを送信する。メッセージは、取得したＡＧＷの媒体リソース情報を含む。
【０１９２】
ここまでの処理で、ｅＭＳＣとＡＧＷとの間に新しい媒体経路が確立され、ｅＭＳＣが当該新規媒体経路とＣＳ媒体経路とを接続し、ＡＧＷが当該新規媒体経路とＩＭＳ媒体接続２とを接続し、これにより、ＵＥ−１がＵＥ−２との通話を続けることが可能となる。
【０１９３】
当該アーキテクチャのｅＭＳＣとＩＣＰとの間にＮｃ−ＩＳＵＰインターフェースを用いるプロセス実施例のＩＭＳ通話確立過程は、図１５の１５０１の記述と同じであり、ハンドオーバープロセスは、図８と同じであるため、ここで繰り返して説明はしない。
【０１９４】
第７のアーキテクチャ実施例
図１６は、本発明に係る実施例のアーキテクチャ２に基づくＩＣＰとＰ−ＣＳＣＦとの一体化アーキテクチャである。図１６には、強化型単一無線音声通信継続性の実現に関与するネットワーク各関連部分又はネットワーク要素、及びそれらの間のインターフェース又は接続関係が記述されている。その記述は、以下のとおりである。
【０１９５】
関連ネットワーク要素の記述は、以下のとおりである。
標準ＳＲＶＣＣアーキテクチャ部分は、図４における各ネットワーク要素と同じである。
Ｐ−ＣＳＣＦは、プロキシ−ＣＳＣＦであり、標準Ｐ−ＣＳＣＦにシグナリング経路アンカリングの機能を追加する。
ＡＧＷは、アクセスゲートウェイ（Ａｃｃｅｓｓ  ＧａｔｅＷａｙ）であり、媒体経路アンカリングの機能を実現する。
【０１９６】
関連インターフェースの記述は、以下のとおりである。
Ｓ１６０２〜Ｓ１６０８は、図４におけるＳ４０２〜Ｓ４０８と同じである。Ｐ−ＣＳＣＦは、ＩＭＳネットワークのネットワーク要素であるため、ＵＥとＩＭＳネットワークとの間のシグナリングインターフェースは、ＩＭＳ標準インターフェースであり、従って、このインターフェースは、表示及び記述されない。
【０１９７】
Ｓ１６１４は、ｅＭＳＣとＰ−ＣＳＣＦとの間のシグナリングインターフェースであり、ｅＭＳＣとＩＣＰがリンクを構築する過程において、メッセージを伝送することに用いられる。このインターフェースとしては、例えば標準のＮｃインターフェースが挙げられ、このインターフェースは、ＳＩＰに基づく（Ｎｃ−ＳＩＰ）ものであってもよく、ＩＳＵＰに基づく（Ｎｃ−ＩＳＵＰ）ものであってもよい。
【０１９８】
Ｓ１６１６は、Ｐ−ＣＳＣＦとＡＧＷとの間のシグナリングインターフェースであり、Ｐ−ＣＳＣＦがＡＧＷを制御してリソースを割り当てたり、媒体経路をマッピング又は関連付けたりするために用いられる。
【０１９９】
当該アーキテクチャのプロセス実施例は、図１５におけるＩＣＰとＰ−ＣＳＣＦが一体化される点を除いて、図１５とほとんど同じであり、従って、ここでは、繰り返して説明はしない。
【０２００】
第８のアーキテクチャ実施例
図１７は、本発明に係る実施例のアーキテクチャ２に基づくＩＣＰとｅＭＳＣとの一体化アーキテクチャである。図１７には、強化型単一無線音声通信継続性の実現に関与するネットワーク各関連部分又はネットワーク要素、及びそれらの間のインターフェース又は接続関係が記述されている。その記述は、以下のとおりである。
【０２０１】
関連ネットワーク要素の記述は、以下のとおりである。
標準ＳＲＶＣＣアーキテクチャ部分は、ｅＭＳＣが異なる以外は、図４における各ネットワーク要素と同じである。
【０２０２】
ｅＭＳＣは、強化型移動交換センターであり、ＰＳネットワーク制御ネットワーク要素が送信したハンドオーバーリクエストを処理し、セッションのドメイン間移転を実行し、ＣＳハンドオーバー動作とドメイン間移転動作とを関連付け、当該ネットワーク要素にＩＭＳ制御点（ＩＭＳ  Ｃｏｎｔｒｏｌ  Ｐｏｉｎｔ）機能を新たに追加し、ＡＧＷを制御してリソースを割り当てたり、媒体経路をマッピング又は関連付けたりする。
【０２０３】
ＡＧＷは、アクセスゲートウェイ（Ａｃｃｅｓｓ  ＧａｔｅＷａｙ）であり、ＣＳ媒体データとＩＰ媒体データとの間の転送を実現する。
【０２０４】
関連インターフェースの記述は、以下のとおりである。
Ｓ１７０２〜Ｓ１７０８は、図４におけるＳ４０２〜Ｓ４０８と同じである。
【０２０５】
Ｓ１７１２は、ＵＥとＰ−ＣＳＣＦとの間のＩＭＳシグナリングインターフェースであり、ＵＥとＰ−ＣＳＣＦとの間のＩＭＳシグナリングを伝送することに用いられる。このインターフェースは、例えばＩＭＳ標準のＧｍインターフェースであってもよい。
【０２０６】
Ｓ１７１６は、ｅＭＳＣとＡＧＷとの間のシグナリングインターフェースであり、ｅＭＳＣがＡＧＷを制御してリソースを割り当てたり、媒体経路をマッピング又は関連付けたりするために用いられる。
【０２０７】
Ｓ１７１８は、ｅＭＳＣとＩＭＳのＩ−ＣＳＣＦ又はＳ−ＣＳＣＦとの間のシグナリングインターフェースであり、ｅＭＳＣを介してＰ−ＣＳＣＦとＩ−ＣＳＣＦ又はＳ−ＣＳＣＦとの間のＩＭＳプロトコルメッセージを伝送することに用いられる。このインターフェースは、例えばＩＭＳ標準のＭｗインターフェースであってもよい。
【０２０８】
Ｓ１７２０は、ｅＭＳＣとＰ−ＣＳＣＦとの間のシグナリングインターフェースであり、ｅＭＳＣを介してＰ−ＣＳＣＦとＩ−ＣＳＣＦ又はＳ−ＣＳＣＦとの間のＩＭＳプロトコルメッセージを伝送することに用いられる。このインターフェースは、例えばＩＭＳ標準のＭｗインターフェースであってもよい。
【０２０９】
Ｓ１７１８とＳ１７２０は、ともに図４におけるＳ４１８インターフェースを構成する。
【０２１０】
第５のプロセス実施例
図１８は、本発明に係る実施例の図１７に基づく強化型単一無線音声通信継続性のフローチャートである。図１８には、ＵＥ−１とＵＥ−２との間にＩＭＳセッションを確立した過程が記述され、そして、ＩＭＳセッションが確立された後、ＵＥ−１が単一無線音声通信継続性を発生し、ＵＥ−１及びネットワークがどのようにしてＵＥ−１によってＣＳドメインを用いて媒体接続を確立し、且つ元のセッション継続を維持するかの過程が記載されている。ＵＥ−１に切り替えられるターゲットセルは、ｅＭＳＣによって管理される。この過程は、以下のステップを含む。
【０２１１】
ステップ１８０１：  ＵＥ−１は、ＩＭＳ呼び出しリクエストを開始し、例えばＩＮＶＩＴＥメッセージを送信する。当該リクエストメッセージは、ＰＳネットワーク制御ネットワーク要素によって提供されたＩＰベアラによってキャリーされ、当該呼び出しリクエストは、ＵＥ−１によって媒体データを受信するための伝送アドレス情報（Ｂと表示される）を含む。このメッセージは、Ｐ−ＣＳＣＦにルーティングされる。
【０２１２】
ステップ１８０２：  Ｐ−ＣＳＣＦは、呼び出しリクエストを転送し、転送したメッセージがｅＭＳＣに達する。
【０２１３】
ステップ１８０３〜１８０８：  このステップは、図１１におけるステップ１１０２〜１１０７と同じである。
【０２１４】
ステップ１８０９：  ｅＭＳＣは、ステップ１８０６における伝送アドレスＸを伝送アドレスＤに切り替え、その後、ＩＭＳ応答コールメッセージを転送し、メッセージがＰ−ＣＳＣＦを通過する。
【０２１５】
ステップ１８１０：  Ｐ−ＣＳＣＦは、当該メッセージをＵＥに転送し、転送メッセージが実際にＰＳネットワーク制御ネットワーク要素が確立したＩＰベアラにキャリーされる。
【０２１６】
ここまでの処理で、ＵＥ−１とリモート側は、ＵＥ−１とＡＧＷとの間のＩＭＳ媒体接続１、及びＡＧＷとリモート側との間のＩＭＳ媒体接続２を含むＩＭＳ媒体接続を確立する。
【０２１７】
以下のステップは、ＵＥ−１がドメイン間ハンドオーバーを発生する場合の記述である。
【０２１８】
ステップ１８１１〜１８１４：  このステップは、図５におけるステップ５１１〜５１４と同じであり、用意されたＣＳ媒体リソースは、ＡＧＷにおいてライン番号Ｌ１で識別される。
【０２１９】
ステップ１８１５〜１８１８：  このステップは、図８におけるステップ８０４〜８０７と同じである。
【０２２０】
ステップ１８１９：ｅＭＳＣは、マップ応答を受信し、Ｓ１７０８インターフェースを介して元のＰＳネットワーク制御ネットワーク要素にハンドオーバー応答メッセージ、例えばＨａｎｄｏｖｅｒ  ｒｅｓｐｏｎｓｅメッセージを送信する。
【０２２１】
ステップ１８２０：  ＰＳネットワーク制御ネットワーク要素は、ハンドオーバー応答メッセージを受信した後、Ｓ１７０４インターフェースを介してＵＥ−１にハンドオーバーコマンドメッセージ、例えばＨａｎｄｏｖｅｒ  Ｃｏｍｍａｎｄ（ハンドオーバーコマンド）メッセージを送信し、ＵＥ−１にＣＳドメインへのハンドオーバーの実行を通知する。
【０２２２】
ステップ１８２１：  ＵＥ−１は、ハンドオーバーコマンドを受信し、アクセス方式をＣＳドメインアクセスモードに調整する。
【０２２３】
ここまでの処理で、ＵＥ−１とＣＳネットワークとの間のＣＳ媒体接続、及びＣＳネットワークとＡＧＷとの間のＣＳ媒体接続よって構築されたＣＳ媒体接続経路がＵＥ−１とＡＧＷとの間に確立される。さらに、ＡＧＷは、その接続作用によって、新規ＣＳ媒体と元のＩＭＳ媒体接続２をを接続して、ＵＥ−１がＵＥ−２との通話を続けることを可能にする。
【０２２４】
第９のアーキテクチャ実施例
図１９は、本発明に係る実施例のアーキテクチャ２に基づくＩＣＰとＳＣ  ＡＳとの一体化アーキテクチャである。図１９には、強化型単一無線音声通信継続性の実現に関与するネットワーク各関連部分又はネットワーク要素、及びそれらの間のインターフェース又は接続関係が記述されている。その記述は、以下のとおりである。
【０２２５】
関連ネットワーク要素の記述は、以下のとおりである。
標準ＳＲＶＣＣアーキテクチャ部分は、図４における各ネットワーク要素と同じである。
ＳＣ ＡＳは、ＩＭＳ標準の業務継続性アプリケーションサーバ機能であり、ＡＧＷを制御してリソースを割り当てたり、媒体経路をマッピング又は関連付けたりする機能を新たに追加する。
ＡＧＷは、アクセスゲートウェイ（Ａｃｃｅｓｓ  ＧａｔｅＷａｙ）であり、ＩＰ媒体データの転送を実現する。
【０２２６】
関連インターフェースの記述は、以下のとおりである。
Ｓ１９０２〜Ｓ１９０８は、図４におけるＳ４０２〜Ｓ４０８と同じである。ＳＣ ＡＳは、ＩＭＳネットワークのネットワーク要素であるため、ＵＥとＩＭＳネットワークとの間のシグナリングインターフェースは、ＩＭＳ標準インターフェースであり、従って、このインターフェースは、表示及び記述されない。。
【０２２７】
Ｓ１９１４は、図４におけるＳ４１４と同じである。
【０２２８】
Ｓ１９１６は、ＳＣ ＡＳとＡＧＷとの間のシグナリングインターフェースであり、ＳＣ  ＡＳがＡＧＷを制御してリソースを割り当てたり、媒体経路をマッピング又は関連付けたりするために用いられる。
【０２２９】
Ｓ１９１８は、ＳＣ ＡＳとＩＭＳのＣＳＣＦとの間のシグナリングインターフェースであり、ＩＭＳ標準のＩＳＣインターフェースである。
【０２３０】
第６のプロセス実施例
図２０は、本発明に係る実施例の図１９に基づく強化型単一無線音声通信継続性のフローチャートである。図２０には、ＵＥ−１とＵＥ−２との間にＩＭＳセッションが確立された後、ＵＥ−１が単一無線音声通信継続性を発生し、ＵＥ−１及びネットワークがどのようにしてＵＥ−１によってＣＳドメインを用いて媒体接続を確立し、且つ元のセッション継続を維持するかの過程が記述されている。記述を簡略化するために、ＳＣ ＡＳとＣＳＣＦは一体的に描かれている。この過程は、以下のステップを含む。
【０２３１】
ステップ２００１：  このステップは、図５におけるステップ５０１〜５１０と類似しているが、ＵＥとＳＣ ＡＳとの間のＩＭＳメッセージ伝送が標準過程によって標準ＩＭＳの各ＣＳＣＦネットワーク要素を通過し、ＵＥ−１とＡＧＷとの間のＩＭＳ媒体接続１、及びＡＧＷとリモート側との間のＩＭＳ媒体接続２を含むＩＭＳ媒体接続がＵＥ−１とリモート側との間で確立される。
【０２３２】
ステップ２００２：  このステップは、図５におけるステップ５１１〜５１７と同じである。
【０２３３】
ステップ２００３：  ｅＭＳＣは、ＰＳネットワーク制御ネットワーク要素のハンドオーバーリクエストメッセージを受信した後、Ｓ１９１４のシグナリング経路を介してＳＣ ＡＳに呼び出しリクエストを送信する。当該実施例において、Ｓ１９１４インターフェースはＩＭＳ標準のＩ２インターフェースであるため、送信されたメッセージは、ＳＩＰのＩＮＶＩＴＥ（セッション確立要求）メッセージであり、呼び出しリクエストは、ＵＥ−１の番号情報及びＳＣ ＡＳの番号情報を含む。ＳＣ ＡＳの番号情報は着信情報とされ、ＵＥ−１の番号情報は発信情報とされ、且つこのメッセージは、ｅＭＳＣにおいて媒体データを受信する伝送アドレスＨを含む。
【０２３４】
当該ステップは、ステップ２００２が完了する前に実行してもよく、具体的には、ステップ５１８の関連記述を参照することで詳細に理解することができる。
【０２３５】
ステップ２００４：  ＳＣ ＡＳは、ステップ２００３の呼び出しリクエストがステップ２００１のセッションのハンドオーバーリクエストであると判断し、ＡＧＷにマッピング動作を実行するように要求し、例えばＭａｐ  ｒｅｑｕｅｓｔ（マップリクエスト）メッセージを送信する。このメッセージは、ｅＭＳＣの伝送アドレスＨ、及び元のＩＭＳ媒体接続２の伝送アドレスＦ又は元のＩＭＳ媒体接続１の伝送アドレスＤを含む。
【０２３６】
ステップ２００５：  ＡＧＷは、マッピング動作を実行して、新規媒体接続と元のＩＭＳ媒体接続２とを接続し、新しいローカル側媒体データ受信ポートＪを割り当てる。記述を簡略化するために、ポートＪに対応する伝送アドレス情報は、引き続きＪと表示される。マッピング動作を完了した後、ＡＧＷは、Ｓ１９１６インターフェースを介してＳＣ ＡＳにマップ応答メッセージ、例えばＭａｐ  ｒｅｓｐｏｎｓｅ（マップ応答）メッセージを送信する。このメッセージは、ＡＧＷが媒体データを受信する伝送アドレスＪを含む。
【０２３７】
ステップ２００６：  ＳＣ ＡＳは、マップ応答を受信し、Ｓ１９１４のシグナリング経路を介してｅＭＳＣに応答メッセージ、例えば「２００  ＯＫ」メッセージを送信する。このメッセージは、取得したＡＧＷの媒体リソース情報を含む。
【０２３８】
ここまの処理で、ｅＭＳＣとＡＧＷとの間に新しいＩＭＳ媒体経路が確立され、ｅＭＳＣが当該新規媒体経路とＣＳ媒体経路とを接続し、ＡＧＷが当該新規媒体経路とＩＭＳ媒体接続２とを接続し、ＵＥ−１がＵＥ−２との通話を続けることが可能となる。
【０２３９】
当該アーキテクチャで、ｅＭＳＣとＳＣ ＡＳとの間にＮｃ−ＳＩＰインターフェースが用いられる場合、ステップ２００３〜２００６は、図７におけるステップ７０３〜７０６と同じであり、Ｎｃ−ＩＳＵＰインターフェースが用いられる場合、ステップ２００３〜２００６は、図８におけるステップ８０３〜８０８と同じである。ｅＭＳＣとＳＣ ＡＳとの間が媒体ゲートウェイを介して接続される場合、ｅＭＳＣとＡＧＷとの間の媒体接続がｅＭＳＣと媒体ゲートウェイとの間のＣＳ媒体接続、及び媒体ゲートウェイとＡＧＷとの間のＩＭＳ媒体接続から構成されるものの、ＳＣ ＡＳ側にとっては、プロセスは同様であり、このプロセスは完全に標準化されれているため、ここでは、繰り返して説明はしない。
【０２４０】
本発明は、特定の実施例を参照して記述したが、当業者にとって、本発明の要旨又は範囲を逸脱しない場合で修正及び変更してもよい。このような修正及び変更は、本発明の範囲と添付の特許請求書の範囲内に含まれる。
【０２４１】
本発明は、単一無線音声通信継続性実現方法及び単一無線音声通信継続性システムを提供し、従来技術において中断時間が長すぎる問題を有効に解決し、ユーザーの体験を向上させることができる。
【図１】
0005324703.tif 000002
【図２】
0005324703.tif 000003
【図３】
0005324703.tif 000004
【図４】
0005324703.tif 000005
【図５】
0005324703.tif 000006
【図６】
0005324703.tif 000007
【図７】
0005324703.tif 000008
【図８】
0005324703.tif 000009
【図９】
0005324703.tif 000010
【図１０】
0005324703.tif 000011
【図１１】
0005324703.tif 000012
【図１２】
0005324703.tif 000013
【図１３】
0005324703.tif 000014
【図１４】
0005324703.tif 000015
【図１５】
0005324703.tif 000016
【図１６】
0005324703.tif 000017
【図１７】
0005324703.tif 000018
【図１８】
0005324703.tif 000019
【図１９】
0005324703.tif 000020
【図２０】
0005324703.tif 000021